(57)【要約】      （修正有）【課題】時間変動干渉を考慮したワイヤレス通信システムを提供する。【解決手段】ワイヤレス通信システムにおいて、ＵＥが、ＵＥへのＵＥの干渉のような時間変動干渉に遭遇するかどうかに基づいて、ユーザ機器（ＵＥ）をハンドオフするかどうかの判断がなされる。時間変動干渉は、サブフレームまたは時間／周波数リソースの特定のセット内にのみ現れる。測定レポートは、時間変動干渉を経験しない時間／周波数リソースに制限される。【選択図】図１３
2018129804.tif 000002
【特許請求の範囲】
【請求項１】
ワイヤレス通信の方法であって、
ユーザ機器（ＵＥ）とサービング基地局との間で通信することと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定することと
を備える方法。
【請求項２】
前記時間変動干渉は、サブフレームのサブセットにのみ現れる、
請求項１に記載の方法。
【請求項３】
前記時間変動干渉は、ＵＥへのＵＥの干渉である、
請求項２に記載の方法。
【請求項４】
前記レポートは、少なくとも１つの制限された測定レポートを備える、
請求項２に記載の方法。
【請求項５】
前記制限された測定レポートは、前記時間変動干渉を経験しない時間／周波数リソースのサブセットに少なくとも部分的に基づく、
請求項４に記載の方法。
【請求項６】
前記少なくとも１つの制限された測定レポートは、チャネル状態レポート、チャネル品質インジケータ（ＣＱＩ）レポート、基準信号受信電力（ＲＳＲＰ）レポート、基準信号受信品質（ＲＳＲＱ）レポート、または、受信強度信号インジケータ（ＲＳＳＩ）を備える、
請求項４に記載の方法。
【請求項７】
前記時間変動干渉を取り扱うための前記ＵＥの能力、観測された時間変動干渉、または予測された時間変動干渉に少なくとも部分的に基づく制限された測定を使用してレポートするように前記ＵＥを構成することをさらに備える、
請求項４に記載の方法。
【請求項８】
前記少なくとも１つの制限された測定レポートは、前記時間変動干渉を経験することを予測されないサブフレームに対応する少なくとも１つのレポートを備える、
請求項４に記載の方法。
【請求項９】
ＵＥへのＵＥの干渉を経験することを予測されない前記サブフレームは、基地局間のバックホールメッセージ、基地局での測定値、または、近隣セルの構成を識別する前記ＵＥからのメッセージによって少なくとも部分的に識別される、
請求項８に記載の方法。
【請求項１０】
前記制限された測定レポートは、サブフレームの少なくとも３つの異なるタイプに対応する、
請求項４に記載の方法。
【請求項１１】
ＵＥへのＵＥの干渉を経験するＵＥのための範囲拡大を無効にすることをさらに備える、
請求項４に記載の方法。
【請求項１２】
アイドルモードの間に生じる測定のための、制限された測定レポートを受信することをさらに備える、
請求項４に記載の方法。
【請求項１３】
前記決定することは、前記時間変動干渉のデューティサイクルにさらに基づく、
請求項４に記載の方法。
【請求項１４】
アップリンク許可を含むサブフレームは、前記時間変動干渉によって影響を受けたかどうかに少なくとも部分的に基づく前記ＵＥをハンドオフすることを決定することをさらに備える、
請求項４に記載の方法。
【請求項１５】
前記ＵＥは、時間変動干渉に遭遇することを予測されているかどうかを決定することをさらに備え、前記決定することは、観測された時間変動干渉を示すシグナリングを受信すること、または、時間変動測定レポートを有意に受信することを備える、
請求項１に記載の方法。
【請求項１６】
ワイヤレス通信のための装置であって、
ユーザ機器（ＵＥ）とサービング基地局との間で通信するための手段と、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定するための手段と
を備える装置。
【請求項１７】
前記時間変動干渉は、サブフレームのサブセットにのみ現れる、
請求項１６に記載の装置。
【請求項１８】
前記時間変動干渉は、ＵＥへのＵＥの干渉である、
請求項１７に記載の装置。
【請求項１９】
前記レポートは、少なくとも１つの制限された測定レポートを備える、
請求項１７に記載の装置。
【請求項２０】
前記制限された測定レポートは、前記時間変動干渉を経験しない時間／周波数リソースのサブセットに少なくとも部分的に基づく、
請求項１９に記載の装置。
【請求項２１】
前記少なくとも１つの制限された測定レポートは、チャネル状態レポート、チャネル品質インジケータ（ＣＱＩ）レポート、基準信号受信電力（ＲＳＲＰ）レポート、基準信号受信品質（ＲＳＲＱ）レポート、または、受信強度信号インジケータ（ＲＳＳＩ）を備える、
請求項１９に記載の装置。
【請求項２２】
予測された時間変動干渉、観測された時間干渉変動、または前記時間変動干渉を取り扱う前記ＵＥの能力に少なくとも部分的に基づく制限された測定を使用してレポートするように前記ＵＥを構成するための手段をさらに備える、
請求項１９に記載の装置。
【請求項２３】
前記少なくとも１つの制限された測定レポートは、前記時間変動干渉を経験することを予測されないサブフレームに対応する少なくとも１つのレポートを備える、
請求項１９に記載の装置。
【請求項２４】
ＵＥへのＵＥの干渉を経験することを予測されない前記サブフレームは、基地局間のバックホールメッセージ、基地局での測定値、または、近隣セルの構成を識別する前記ＵＥからのメッセージによって少なくとも部分的に識別される、
請求項２３に記載の装置。
【請求項２５】
前記制限された測定レポートは、サブフレームの少なくとも３つの異なるタイプに対応する、
請求項１９に記載の装置。
【請求項２６】
ＵＥへのＵＥの干渉を経験するＵＥのための範囲拡大を無効にするための手段をさらに備える、
請求項１９に記載の装置。
【請求項２７】
アイドルモードの間に生じる測定のための、制限された測定レポートを受信するための手段をさらに備える、
請求項１９に記載の装置。
【請求項２８】
前記決定するための手段は、前記時間変動干渉のデューティサイクルにさらに基づく、
請求項１９に記載の装置。
【請求項２９】
アップリンク許可を含むサブフレームが前記時間変動干渉によって影響を受けたかどうかに少なくとも部分的に基づく前記ＵＥをハンドオフすることを決定するための手段をさらに備える、
請求項１９に記載の装置。
【請求項３０】
前記ＵＥが時間変動干渉に遭遇することを予測されているかどうかを決定するための手段をさらに備え、前記決定するための手段は、観測された時間変動干渉を示すシグナリングを受信すること、または、時間変動測定レポートを有意に受信するための手段を備える、
請求項１６記載の装置。
【請求項３１】
ワイヤレスネットワーク内における通信のためのコンピュータプログラムプロダクトであって、
その上に、記録されたプログラムコードを有する非一時的コンピュータ可読媒体を備え、前記プログラムコードは、
ユーザ機器（ＵＥ）とサービング基地局との間で通信するプログラムコードと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定するプログラムコードと
を備えるコンピュータプログラムプロダクト。
【請求項３２】
ワイヤレス通信のための装置であって、
メモリと、
前記メモリに結合された少なくとも１つのプロセッサを備え、前記少なくとも１つのプロセッサは、
ユーザ機器（ＵＥ）とサービング基地局との間で通信することと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定することと
を行うように構成される装置。
【請求項３３】
ワイヤレス通信の方法であって、
特定のサブフレームへの測定を制限することを決定することと、
ユーザ機器（ＵＥ）によって前記特定のサブフレームの測定をレポートすることと
を備える方法。
【請求項３４】
前記特定のサブフレームは、測定期間内のサブフレームのサブセット上のみに干渉を引き起こす特定のソースから干渉が見えないサブフレームである、
請求項３３に記載の方法。
【請求項３５】
前記干渉は、前記特定のサブフレームの前記測定をレポートする前記ＵＥに接続されたサービング基地局とは異なる時分割複信（ＴＤＤ）構成を使用した近隣基地局に接続された第２のＵＥからによる、
請求項３４に記載の方法。
【請求項３６】
前記特定のサブフレームは、全てのアップリンク／ダウンリンク構成に共通のダウンリンクサブフレームを備える、
請求項３４に記載の方法。
【請求項３７】
前記特定のサブフレームは、既知の近隣セルアップリンク／ダウンリンク構成と既知のサービングセルアップリンク／ダウンリンク構成に共通のダウンリンクサブフレームを備える、
請求項３４に記載の方法。
【請求項３８】
前記特定のサブフレームは、サービング基地局によって構成された制限されたダウンリンクサブフレームを備える、
請求項３３に記載の方法。
【請求項３９】
前記特定のサブフレームは、低干渉を有するとして検出されたダウンリンクサブフレームを備える、
請求項３３に記載の方法。
【請求項４０】
前記決定することは、前記時間変動干渉を取り扱うＵＥの能力、前記ＵＥが前記時間変動干渉に遭遇することを予測されているかどうか、前記時間変動干渉のデューティサイクル、または前記時間変動干渉によって影響を受けたサブフレームに少なくとも部分的に基づく、
請求項３４に記載の方法。
【請求項４１】
前記決定することは、サブフレーム干渉を示すメトリックを測定することと、別のサブフレーム上の測定されたメトリックを比較することと、異なる測定されたメトリックを有するサブフレームとして制限されたサブフレームを選択することとを含む、
請求項３３に記載の方法。
【請求項４２】
前記測定は、マルチキャリアロングタームエボリューション（ＬＴＥ）システムの周波数間測定のために実行される、
請求項４１に記載の方法。
【請求項４３】
ワイヤレス通信のための装置であって、
特定のサブフレームへの測定を制限することを決定するための手段と、
ユーザ機器（ＵＥ）によって前記特定のサブフレームの測定をレポートするための手段と
を備える装置。
【請求項４４】
前記特定のサブフレームは、測定周期内のサブフレームのサブセットのみに干渉を引き起こす特定のソースから干渉に遭遇しないサブフレームである、
請求項４３に記載の装置。
【請求項４５】
前記干渉は、前記特定のサブフレームの前記測定をレポートする前記ＵＥに接続されたサービング基地局とは異なる時分割複信（ＴＤＤ）構成を使用した近隣基地局に接続された第２のＵＥによる、
請求項４４に記載の装置。
【請求項４６】
前記特定のサブフレームは、全てのアップリンク／ダウンリンク構成に共通するダウンリンクサブフレームを備える、
請求項４４に記載の装置。
【請求項４７】
前記特定のサブフレームは、既知の近隣セルアップリンク／ダウンリンク構成と既知のサービングセルアップリンク／ダウンリンク構成に共通のダウンリンクサブフレームを備える、
請求項４４に記載の装置。
【請求項４８】
前記特定のサブフレームは、サービング基地局によって構成された制限されたダウンリンクサブフレームを備える、
請求項４３に記載の装置。
【請求項４９】
前記特定のサブフレームは、低干渉を有するとして検出されたダウンリンクサブフレームを備える、
請求項４３に記載の装置。
【請求項５０】
決定するための前記手段は、前記時間変動干渉を取り扱うためにＵＥの能力、前記ＵＥは前記時間変動干渉に遭遇することを予測されているかどうか、前記時間変動干渉のデューティサイクル、または前記時間変動干渉によって影響を受けたサブフレームに少なくとも部分的に基づく、
請求項４４に記載の装置。
【請求項５１】
決定するための前記手段は、サブフレーム干渉を示すメトリックを測定するための手段と、別のサブフレーム上の測定されたメトリックを比較するための手段と、異なる測定されたメトリックを有するサブフレームとして制限されたサブフレームを選択するための手段とを含む、
請求項４３に記載の装置。
【請求項５２】
前記測定は、マルチキャリアロングタームエボリューション（ＬＴＥ）システムの周波数間測定のために実行される、
請求項５１に記載の装置。
【請求項５３】
ワイヤレスネットワーク内における通信のためのコンピュータプログラムプロダクトであって、
その上に、記録されたプログラムコードを有する非一時的コンピュータ可読媒体を備え、前記プログラムコードは、
特定のサブフレームへの測定を制限することを決定するプログラムコードと、
ユーザ機器（ＵＥ）によって前記特定のサブフレームの測定をレポートするプログラムコードと
を備えるコンピュータプログラムプロダクト。
【請求項５４】
ワイヤレス通信のための装置であって、
メモリと、
前記メモリに結合された少なくとも１つのプロセッサを備え、前記少なくとも１つのプロセッサは、
特定のサブフレームへの測定を制限することを決定することと、
ユーザ機器（ＵＥ）によって前記特定のサブフレームの測定をレポートすることと
を行うように構成される装置。
【請求項５５】
ワイヤレス通信の方法であって、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を備える方法。
【請求項５６】
前記時間／周波数リソースの特定のセットは、サブフレームのセットを示す情報を備える前記シグナリングされた制限された測定情報と複数の前記サブフレームのセットとを備える、
請求項５５に記載の方法。
【請求項５７】
前記シグナリングされた制限された測定情報は、制限された測定が実行される時間／周波数リソースの関連したセットと１つまたは複数のキャリア周波数を備える、
請求項５５に記載の方法。
【請求項５８】
前記制限された測定情報の前記シグナリングすることは、ＵＥ固有、セル固有、またはページングエリア内の全てのセルに共通である、
請求項５５に記載の方法。
【請求項５９】
マスター情報ブロック（ＭＩＢ）、またはシステム情報ブロック（ＳＩＢ）に少なくとも部分的に基づく前記制限された測定情報のシグナリングすることをさらに備える、
請求項５５に記載の方法。
【請求項６０】
無線リソース制御（ＲＲＣ）シグナリングを使用した時間／周波数リソースの前記特定のセットをシグナリングすることをさらに備える、
請求項５５に記載の方法。
【請求項６１】
ワイヤレス通信のための装置であって、
アイドルモード内で動作する、または周波数間測定を実行するユーザ機器（ＵＥ）のために、時間／周波数リソースの特定のセットへの測定を制限することを決定するための手段と、
前記制限を示す情報を前記ＵＥへのシグナリングするための手段と
を備える装置。
【請求項６２】
前記時間／周波数リソースの特定のセットは、サブフレームのセットを示す情報を備える前記シグナリングされた制限された測定情報と複数の前記サブフレームのセットとを備える、
請求項６１に記載の装置。
【請求項６３】
前記シグナリングされた制限された測定情報は、制限された測定が実行される時間／周波数リソースの関連したセットと１つまたは複数のキャリア周波数を備える、
請求項６１に記載の装置。
【請求項６４】
前記制限された測定情報の前記シグナリングは、ＵＥ固有、セル固有、またはページングエリア内の全てのセルに共通である、
請求項６１に記載の装置。
【請求項６５】
マスター情報ブロック（ＭＩＢ）、またはシステム情報ブロック（ＳＩＢ）に少なくとも部分的に基づく前記制限された測定情報をシグナリングするための手段をさらに備える、
請求項６１に記載の装置。
【請求項６６】
無線リソース制御（ＲＲＣ）シグナリングを使用した時間／周波数リソースの前記特定のセットをシグナリングするための手段をさらに備える、
請求項６１に記載の装置。
【請求項６７】
ワイヤレスネットワーク内における通信のためのコンピュータプログラムプロダクトであって、
その上に、記録されたプログラムコードを有する非一時的コンピュータ可読媒体を備え、前記プログラムコードは、
アイドルモード内で動作する、または周波数間測定を実行するユーザ機器（ＵＥ）のために、時間／周波数リソースの特定のセットへの測定を制限することを決定するプログラムコードと、
前記制限を示す情報を前記ＵＥへシグナリングするプログラムコードと
を備えるコンピュータプログラムプロダクト。
【請求項６８】
ワイヤレス通信のための装置であって、
メモリと、
前記メモリに結合された少なくとも１つのプロセッサを備え、前記少なくとも１つのプロセッサは、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を行うように構成される装置。
【請求項６９】
ワイヤレス通信の方法であって、
アイドルモード内で動作する、または周波数間測定を実行するユーザ機器のために、時間／周波数リソースの特定のセットへの測定を制限することと、
前記時間／周波数リソースの特定のセットの測定をレポートすることと
を備える方法。
【請求項７０】
ワイヤレス通信のための装置であって、
アイドルモード内で動作する、または周波数間測定を実行するユーザ機器のために、時間／周波数リソースの特定のセットへの測定を制限するための手段と、
前記時間／周波数リソースの特定のセットの測定をレポートするための手段と
を備える装置。
【請求項７１】
ワイヤレスネットワーク内における通信のためのコンピュータプログラムプロダクトであって、
その上に、記録されたプログラムコードを有する非一時的コンピュータ可読媒体を備え、前記プログラムコードは、
アイドルモード内で動作する、または周波数間測定を実行するユーザ機器のために、時間／周波数リソースの特定のセットへの測定を制限するプログラムコードと、
前記時間／周波数リソースの特定のセットの測定をレポートするプログラムコードと
を備えるコンピュータプログラムプロダクト。
【請求項７２】
ワイヤレス通信のための装置であって、
メモリと、
前記メモリに結合された少なくとも１つのプロセッサを備え、前記少なくとも１つのプロセッサは、
アイドルモード内で動作する、または周波数間測定を実行するユーザ機器のために、時間／周波数リソースの特定のセットへの測定を制限することと、
時間／周波数リソースの前記特定のセットの測定をレポートすることと
を行うように構成される装置。
【発明の詳細な説明】
【関連出願の相互参照】
【０００１】
[0001]本願は、米国特許法１１９条に基づいて、２０１２年３月３０日に出願された、「ＭＥＡＳＵＲＥＭＥＮＴＳ ＦＯＲ ＬＯＷ ＤＵＴＹ ＣＹＣＬＥ ＩＮＴＥＲＦＥＲＥＮＣＥ」と題された米国仮特許出願第６１／６１８,４８４号、２０１２年４月２日に出願された、「ＳＵＰＰＯＲＴＩＮＧ ＣＯＥＸＩＳＴＥＮＣＥ ＯＦ ＤＩＦＦＥＲＥＮＴ ＬＴＥ（登録商標）−ＴＤＤ ＣＯＮＦＩＧＵＲＡＴＩＯＮＳ ＩＮ ＮＥＩＧＨＢＯＲＩＮＧ ＲＥＧＩＯＮＳ」と題された米国仮特許出願第６１／６１９,２６０号の優先権を主張し、これら開示は、その全体における参照により、ここに明確に組み込まれる。
【技術分野】
【０００２】
[0002]本開示の態様は、一般に、ワイヤレス通信システムに関し、より詳細には、時間変動干渉を考慮したワイヤレス通信に関する。
【背景技術】
【０００３】
[0003]ワイヤレス通信システムは、電話通信、ビデオ、データ、メッセージング、およびブロードキャストのような様々な電気通信サービスを提供するために幅広く展開される。典型的なワイヤレス通信システムは、利用可能なシステムリソース（例えば、帯域幅、送信電力）を共有することにより、複数のユーザとの通信をサポートすることが可能な多元接続技術を用いうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、およびグローバルレベルでさえも通信することを可能にする共通プロトコルを提供するために、様々な電気通信規格において採用されてきた。台頭してきた電気通信規格の例は、ロングタームエボリューション（ＬＴＥ）である。ＬＴＥは、第３世代パートナーシッププロジェクト（３ＧＰＰ（登録商標））によって公表されたユニバーサルモバイル電気通信システム（ＵＭＴＳ）のモバイル規格への拡張セットである。それは、スペクトル効率を改善することによってモバイルブロードバンドインターネットアクセスをより良くサポートし、コストを下げ、サービスを向上させ、新たなスペクトラムを利用し、そして、ダウンリンク（ＤＬ）上にＯＦＤＭＡ、アップリンク（ＵＬ）上にＳＣ−ＦＤＭＡ、および多入力多出力（ＭＩＭＯ）アンテナ技術を使用し、他のオープン規格とより良く統合するように設計される。しかしながら、モバイルブロードバンドアクセスへの需要が増加し続けるにつれ、ＬＴＥ技術における更なる改良への必要性が存在する。望ましくは、これらの改良は、これらの技術を用いる他の多元接続技術および電気通信規格に適用可能であるべきである。
【発明の概要】
【０００５】
[0005]提案されたのは、ワイヤレス通信の方法である。方法は、ユーザ機器（ＵＥ）およびサービング基地局間で通信を行うことを含む。方法はさらに、時間変動干渉のレポートに少なくとも部分的に基づいてＵＥをハンドオフするかどうか、ＵＥが時間変動干渉に遭遇する（see）ことを予測されているかどうか、時間変動干渉を取り扱うＵＥの能力、または時間変動干渉によってどのサブフレームが影響を受けるのかを決定することとを含む。
【０００６】
[0006]提案されたのは、ワイヤレス通信のための装置である。装置は、ユーザ機器（ＵＥ）およびサービング基地局間で通信を行うための手段を含む。装置はさらに、時間変動干渉のレポートに少なくとも部分的に基づいてＵＥをハンドオフするかどうか、ＵＥが時間変動干渉に遭遇することを予測されているかどうか、時間変動干渉を取り扱うＵＥの能力、または時間変動干渉によってどのサブフレームが影響を受けるのかを決定する手段を含む。
【０００７】
[0007]提案されたのは、ワイヤレスネットワーク内における通信のためのコンピュータプログラムプロダクトである。コンピュータプログラムプロダクトは、その上、プログラムコードを記録した非一時的コンピュータ可読媒体を含む。プログラムコードは、ユーザ機器（ＵＥ）およびサービング基地局間で通信を行うためのプログラムコードを含む。プログラムコードはさらに、時間変動干渉のレポートに少なくとも部分的に基づいてＵＥをハンドオフするかどうか、ＵＥが時間変動干渉に遭遇することを予測されているかどうか、時間変動干渉を取り扱うＵＥの能力、または時間変動干渉によってどのサブフレームが影響を受けるのかを決定するプログラムコードを含む。
【０００８】
[0008]提案されたのは、ワイヤレス通信のための装置である。装置は、メモリおよびメモリに結合されたプロセッサとを含む。プロセッサは、ユーザ機器（ＵＥ）およびサービング基地局間で通信することを行うように構成される。プロセッサはさらに、時間変動干渉のレポートに少なくとも部分的に基づいてＵＥをハンドオフするかどうか、ＵＥが時間変動干渉に遭遇することを予測されているかどうか、時間変動干渉を取り扱うＵＥの能力、または時間変動干渉によってどのサブフレームが影響を受けるのかを決定することを行うように構成される。
【０００９】
[0009]提案されたのは、ワイヤレス通信の方法である。方法は、特定のサブフレームへの測定を制限することを決定することを含む。方法はまた、ユーザ機器（ＵＥ）によって特定のサブフレームの測定をレポートすることを含む。
【００１０】
[0010]提案されたのは、ワイヤレス通信のための装置である。装置は、特定のサブフレームへの測定を制限することを決定するための手段を含む。装置はまた、ユーザ機器（ＵＥ）によって特定のサブフレームの測定をレポートするための手段を含む。
【００１１】
[0011]提案されたのは、ワイヤレスネットワーク内における通信のためのコンピュータプログラムプロダクトである。コンピュータプログラムプロダクトは、その上、プログラムコードを記録した非一時的コンピュータ可読媒体を含む。プログラムコードは、特定のサブフレームへの測定を制限することを決定するためのプログラムコードを含む。プログラムコードはまた、ユーザ機器（ＵＥ）によって特定のサブフレームの測定をレポートするためのプログラムコードを含む。
【００１２】
[0012]提案されたのは、ワイヤレス通信のための装置である。装置は、メモリおよびメモリに結合されたプロセッサとを含む。プロセッサは、特定のサブフレームへの測定を制限することを決定することを行うように構成される。プロセッサはまた、ユーザ機器（ＵＥ）によって特定のサブフレームの測定をレポートすることを行うように構成される。
【００１３】
[0013]提案されたのは、ワイヤレス通信の方法である。方法は、アイドルモード内で動作する、または周波数間測定を実行するユーザ機器（ＵＥ）のために、時間／周波数リソースの特定のセットへの測定を制限することを決定することを含む。方法はまた、制限を示す情報をＵＥへシグナリングすることを含む。一例において、制限された測定情報のシグナリングは、ＵＥ固有、セル固有、またはページングエリア内の全てのセルに共通である。一例において、制限された測定情報をシグナリングすることは、マスター情報ブロック（ＭＩＢ）、またはシステム情報ブロック（ＳＩＢ）に少なくとも部分的に基づく。
【００１４】
[0014]提案されたのは、ワイヤレス通信のための装置である。装置は、アイドルモード内で動作する、または周波数間測定を実行するユーザ機器（ＵＥ）のために、時間／周波数リソースの特定のセットへの測定を制限することを決定するための手段を含む。装置はまた、制限を示す情報をＵＥへシグナリングするための手段を含む。
【００１５】
[0015]提案されたのは、ワイヤレスネットワーク内における通信のためのコンピュータプログラムプロダクトである。コンピュータプログラムプロダクトは、その上、プログラムコードを記録した非一時的コンピュータ可読媒体を含む。プログラムコードは、アイドルモード内で動作する、または周波数間測定を実行するユーザ機器（ＵＥ）のために、時間／周波数リソースの特定のセットへの測定を制限することを決定するためのプログラムコードを含む。プログラムコードはまた、制限を示す情報をＵＥへシグナリングするためのプログラムコードを含む。
【００１６】
[0016]提案されたのは、ワイヤレス通信のための装置である。装置は、メモリおよびメモリに結合されたプロセッサとを含む。プロセッサは、アイドルモード内で動作する、または周波数間測定を実行するユーザ機器（ＵＥ）のために、時間／周波数リソースの特定のセットへの測定を制限することを決定することを行うように構成される。プロセッサはまた、制限を示す情報をＵＥへシグナリングすることを行うように構成される。
【００１７】
[0017]提案されたのは、ワイヤレス通信の方法である。方法は、アイドルモード内で動作する、または周波数間測定を実行するユーザ機器のために、時間／周波数リソースの特定のセットへの測定を制限することを含む。方法はまた、時間／周波数リソースの特定のセットの測定をレポートすることを含む。同様に提案されたのは、ワイヤレス通信のための装置である。装置は、アイドルモード内で動作する、または周波数間測定を実行するユーザ機器のために、時間／周波数リソースの特定のセットへの測定を制限するための手段を含む。装置はまた、時間／周波数リソースの特定のセットの測定をレポートするための手段を含む。同様に提案されたのは、ワイヤレスネットワーク内における通信のためのコンピュータプログラムプロダクトである。コンピュータプログラムプロダクトは、その上、プログラムコードを記録した非一時的コンピュータ可読媒体を含む。プログラムコードは、アイドルモード内で動作する、または周波数間測定を実行するユーザ機器のために、時間／周波数リソースの特定のセットへの測定を制限するプログラムコードを含む。プログラムコードはまた、時間／周波数リソースの特定のセットの測定をレポートするプログラムコードを含む。同様に提案されたのは、ワイヤレス通信のための装置である。装置は、メモリおよびメモリに結合されたプロセッサとを含む。プロセッサは、アイドルモード内で動作する、または周波数間測定を実行するユーザ機器のために、時間／周波数リソースの特定のセットへの測定を制限することを行うように構成される。プロセッサはまた、時間／周波数リソースの特定のセットの測定をレポートすることを行うように構成される。
【００１８】
[0018]本開示のさらなる特徴および利点が以下に説明される。この開示が、本開示と同じ目的を実行するための他の構造を改良または設計するための基礎として容易に利用されうることは、当業者によって理解されるべきである。また、そのような等価の構成が、添付された特許請求の範囲に記載の本開示の教示から逸脱しないことも、当業者によって認識されるべきである。さらなる目的および利点とともに、本開示の構成および動作の方法の両方について、本開示の特徴であると考えられる新規な特徴は、添付図面と関連して考慮される場合、以下の説明からより良く理解されるであろう。しかしながら、各々の図は、例示および説明のみの目的で提供され、本開示の限定の定義として意図されるものではないことが、明確に理解されるべきである。
【図面の簡単な説明】
【００１９】
[0019]本開示の特徴、性質、および利点は、同様の参照文字が全体を通して相応して識別する図面を考慮した場合、以下に示される詳細な説明から、より明白になるであろう。
【図１】ネットワークアーキテクチャの例を示す図である。
【図２】アクセスネットワークの例を示す図である。
【図３】ＬＴＥ内におけるダウンリンクフレーム構造の例を示す図である。
【図４】ＬＴＥ内におけるアップリンクフレーム構造の例を示す図である。
【図５】ユーザおよび制御プレーンのための無線プロトコルアーキテクチャの例を示す図である。
【図６】アクセスネットワーク内におけるユーザ機器および発展型ノードＢの例を示す図である。
【図７】電気通信システム内における近隣基地局からの干渉を示すブロック図である。
【図８】電気通信システム内における別のＵＥからの干渉を示すブロック図である。
【図９】本開示の１つの様態にしたがって時間変動干渉を考慮したワイヤレス通信を示すフローチャートである。
【図１０】本開示の１つの様態にしたがって時間変動干渉を考慮したワイヤレス通信を示すフローチャートである。
【図１１】本開示の１つの様態にしたがって時間変動干渉を考慮したワイヤレス通信を示すフローチャートである。
【図１２】本開示の１つの様態にしたがって時間変動干渉を考慮したワイヤレス通信を示すフローチャートである。
【図１３】例示的な装置内における異なるモジュール／手段／コンポーネントを示すブロック図である。
【発明を実施するための形態】
【００２０】
[0033]添付図面に関連して述べられる詳細な説明は、様々な構成の説明として意図されたものであり、本明細書において説明される概念が実現されうる唯一の構成を表すことを意図したものではない。詳細な説明は、様々な概念の徹底した理解を提供することを目的とする特定の詳細を含む。しかしながら、これらの概念がこれらの具体的な詳細なしに実現されうるということは、当業者にとって明らかであろう。いくつかの例では、そのような概念をあいまいにすることを避けるために、周知の構造およびコンポーネントが、ブロック図の形態で示される。さらに、用語「または」は、排他的な「または」ではなく、包括的な「または」を意味するように意図されている。すなわち、そうではないと規定されていない、または、コンテキストから明らかでない限り、例えば、「ＸはＡまたはＢを用いる」という句は、自然な包括的な置き換えのうちのいずれかを意味するように意図されている。すなわち、「ＸはＡまたはＢを用いる」という句は次に示すいずれの例、ＸはＡを用いる；ＸはＢを用いる；ＸはＡとＢの両方を用いる、によっても満たされる。それに加えて、本明細書および添付の請求項の範囲において使用される「ａ」および「ａｎ」という冠詞は、そうではないと規定されるか、単数形を指すとコンテキストから明らかでない限り「１つまたは複数」を意味すると一般的に解釈されるべきである。
【００２１】
[0034]電気通信システムの態様が、様々な装置および方法を参照して示される。これらの装置および方法は、以下の詳細な説明において説明され、付随する図面内において、様々なブロック、モジュール、コンポーネント、回路、ステップ、処理、アルゴリズム等（集合的には「エレメント」と呼ばれる）により図示されている。これらのエレメントは、ハードウェア、ソフトウェア、またはそれらの組み合わせを使用して実装されることができる。そのようなエレメントがハードウェア、またはソフトウェアとして実装されるかは、システム全体に課された特定のアプリケーションおよび設計の制約に依存する。
【００２２】
[0035]例として、エレメント、またはエレメントの任意の一部、またはエレメントの任意の組み合わせが、１つまたは複数のプロセッサを含む「処理システム」を用いて実装されうる。プロセッサの例は、マイクロプロセッサ、マイクロ制御器、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、およびこの開示全体を通して説明される様々な機能を実行するように構成された他の適切なハードウェアを含む。処理システム内における１つまたは複数のプロセッサはソフトウェアを実行することができる。ソフトウェアは、ソフトウェア、ファームウェア、ミドルウェア、マイクロコード、ハードウェア記述言語、または別の名称で呼ばれるかどうかに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、手順、関数等を意味するものと広く解釈されるものとする。ＬＴＥおよびＬＴＥアドバンスドはまとめて「ＬＴＥ」と呼ばれる。
【００２３】
[0036]図１は、ＬＴＥネットワークアーキテクチャ１００を示す図である。ＬＴＥネットワークアーキテクチャ１００は、発展型パケットシステム（ＥＰＳ）１００と呼ばれうる。ＥＰＳ１００は、１つまたは複数のユーザ機器（ＵＥ）１０２、発展型ＵＭＴＳテレストリアル無線アクセスネットワーク（Ｅ−ＵＴＲＡＮ）１０４と、発展型パケットコア（ＥＰＣ）１１０と、ホーム加入者サーバ（ＨＳＳ）１２０と、オペレータのＩＰサービス１２２とを含みうる。ＥＰＳは、他のアクセスネットワークと相互接続することができるが、簡潔化のために、それらのエンティティ／インターフェースは図示しない。図示されているように、ＥＰＳはパケット交換サービスを提供するが、当業者が容易に理解するように、本開示全体を通して提示される様々な概念は、回路交換サービスを提供するネットワークに拡張されうる。
【００２４】
[0037]Ｅ−ＵＴＲＡＮは、発展型ノードＢ（ｅノードＢ）１０６および他のｅノードＢ１０８を含む。ｅノードＢ１０６は、ＵＥ１０２へのユーザおよび制御プレーンプロトコルターミネーションを提供する。ｅノードＢ１０６は、バックホール（例えば、Ｘ２インターフェース）を介して他のｅノードＢ１０８と接続しうる。ｅノードＢ１０６はまた、基地局、基地トランシーバ局、無線基地局、無線トランシーバ、トランシーバ機能、ベーシックサービスセット（ＢＳＳ）、拡張サービスセット（ＥＳＳ）、または何らかの他の適切な専門用語で呼ばれうる。ｅノードＢ１０６は、ＵＥ１０２のためのＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、タブレット、ネットブック、スマートブック、ウルトラブック、衛星無線、全地球測位システム、マルチメディアデバイス、映像デバイス、デジタルオーディオプレイヤ（例えば、ＭＰ３プレイヤ）、カメラ、ゲーム機器、または任意の他の同様の機能を有するデバイスを含む。ＵＥ１０２はまた、当業者によって、モバイル局、加入者局、モバイルユニット、加入者ユニット、ワイヤレスユニット、リモートユニット、モバイルデバイス、ワイヤレスデバイス、無線通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な専門用語で呼ばれうる。
【００２５】
[0038]ｅノードＢ１０６は、例えば、Ｓ１インターフェースを介してＥＰＣ１１０と接続する。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２とＥＰＣ１１０との間のシグナリングを処理する制御ノードである。一般的に、ＭＭＥ１１２はベアラおよび接続管理を提供する。全てのユーザＩＰパケットは、自身がＰＤＮゲートウェイ１１８に接続されたサービングゲートウェイ１１６を通じて転送される。ＰＤＮゲートウェイ１１８は、ＵＥにＩＰアドレスの割り振り、ならびに他の機能とを提供する。ＰＤＮゲートウェイ１１８は、オペレータのＩＰサービス１２２に接続される。オペレータのＩＰサービス１２２は、インターネットと、イントラネットと、ＩＰマルチメディアサブシステム（ＩＭＳ）と、ＰＳ（パケット交換）ストリーミングサービス（ＰＳＳ）とを含みうる。
【００２６】
[0039]図２は、ＬＴＥネットワークアーキテクチャ内におけるアクセスネットワーク２００の例を示す図である。この例では、アクセスネットワーク２００は、多数のセルラ領域（セル）２０２に分割される。１つまたは複数のより低い電力クラスのｅノードＢ２０８は、１つまたは複数のセル２０２とオーバラップするセルラ領域２１０を有しうる。より低い電力クラスのｅノードＢ２０８は、リモート無線ヘッド（ＲＲＨ）、フェムトセル（例えば、ホームｅノードＢ（ＨｅＮＢ））、ピコセル、またはマイクロセルでありうる。マクロｅノードＢ２０４は、それぞれのセル２０２に各々割り当てられ、セル２０２内における全てのＵＥ２０６のために、ＥＰＣ１１０へのアクセスポイントを提供するよう構成される。アクセスネットワーク２００のこの例には集中制御装置が存在しないが、代替の構成では、集中制御装置が使用されうる。ｅノードＢ２０４は、無線ベアラ制御、アドミッション制御、モビリティ制御、スケジューリング、セキュリティ、およびサービングゲートウェイ１１６へのコネクティビティを含む、全ての無線関連の機能を担う。
【００２７】
[0040]アクセスネットワーク２００によって用いられる変調および多元接続スキームは、展開されている特定の電気通信規格に依存して変わりうる。ＬＴＥアプリケーションでは、周波数分割複信（ＦＤＤ）および時分割複信（ＴＤＤ）の両方をサポートするために、ＯＦＤＭがダウンリンク上で使用され、ＳＣ−ＦＤＭＡがアップリンク上で使用される。以下の詳細な説明から当業者が容易に理解するように、本明細書に提示される様々な概念は、ＬＴＥアプリケーションによく適する。しかしながら、これらの概念は、他の変調および多元接続技法を用いる他の電気通信規格に容易に拡張されうる。例として、これらの概念は、エボリューションデータ最適化（ＥＶ−ＤＯ：Evolution-Data Optimized）、またはウルトラモバイルブロードバンド（ＵＭＢ）に拡張されうる。ＥＶ−ＤＯおよびＵＭＢは、ＣＤＭＡ２０００ファミリの規格の一部として、第３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いるグローバル移動体通信システム（ＧＳＭ（登録商標））、および、ＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、ウルトラモバイルブロードバンド（ＵＭＢ）、および発展型ＵＴＲＡ（Ｅ−ＵＴＲＡ）に拡張されうる。ＵＴＲＡ、Ｅ−ＵＴＲＡ、ＵＭＴＳ、ＬＴＥ、およびＧＳＭは、３ＧＰＰの組織からの文書内において説明される。ＣＤＭＡ２０００およびＵＭＢは、３ＧＰＰ２の組織からの文書内において説明される。用いられる実際のワイヤレス通信規格および多元接続技術は、システム上に課せられる特定のアプリケーションおよび全体的な設計の制約に依存するであろう。
【００２８】
[0041]ｅノードＢ２０４は、ＭＩＭＯ技術をサポートする複数のアンテナを有しうる。ＭＩＭＯ技術の使用は、ｅノードＢ２０４に、空間領域を利用して、空間多重、ビームフォーミング、および送信ダイバーシティをサポートすることを可能にする。空間多重化は、同じ周波数上で同時に異なるデータストリームを送信するために使用されうる。データストリームは、データレートを増加させるために単一のＵＥ２０６に、または、全システム容量を増加させるために複数のＵＥ２０６に、送信されうる。これは各データストリームを空間的にプリコーディングし（つまり、振幅および位相のスケーリングを適用し）、その後ダウンリンク上の複数の送信アンテナを通じて各々の空間的にプリコーディングされたストリームを送信することによって達成される。空間的にプリコーディングされたデータストリームは、異なる空間シグネチャとともにＵＥ２０６（単数または複数）へと到達し、それは、ＵＥ２０６（単数または複数）の各々に、そのＵＥ２０６に宛てられた１つまたは複数のデータストリームを復元することを可能にさせる。アップリンク上では、各ＵＥ２０６は、空間的にプリコーディングされたデータストリームを送信し、それは、ｅノードＢ２０４に、各々の空間的にプリコーティングされたデータストリームのソースを識別することを可能にさせる。
【００２９】
[0042]空間的多重化は、一般的にチャネル状態が良好な場合に使用される。チャネル状態があまり好ましくない場合、ビームフォーミングは１つまたは複数の方向に送信エネルギーを集めるために使用されうる。これは、複数のアンテナを通じた送信のためにデータを空間的にプリコーディングすることによって達成されうる。セルの端で良好なカバレッジを達成するために、単一ストリームのビームフォーミング送信が送信ダイバーシティと組み合わせて使用されうる。
【００３０】
[0043]以下に続く詳細な説明において、アクセスネットワークの様々な態様は、ダウンリンク上でＯＦＤＭをサポートするＭＩＭＯシステムを参照して説明される。ＯＦＤＭは、ＯＦＤＭシンボル内の多数のサブキャリアにわたってデータを変調する拡散スペクトル技術である。これらのサブキャリアは、正確な周波数を隔てた間隔があけられる。この間隔は、これらのサブキャリアからのデータを復元することを受信機に可能にさせる、「直交性」を提供する。時間領域では、ＯＦＤＭシンボル間干渉に対抗するために、各ＯＦＤＭシンボルにガードインターバル（例えば、サイクリックプリフィクス）が追加されうる。アップリンクは、高いピーク対平均電力比（ＰＡＰＲ）を補償するために、ＤＦＴ拡散ＯＦＤＭ信号の形態でＳＣ−ＦＤＭＡを使用しうる。
【００３１】
[0044]図３は、ＬＴＥ内におけるダウンリンクフレーム構造の例を示す図３００である。フレーム（１０ｍｓ）は、１０個の同じサイズのサブフレームに分割されうる。各サブフレームは、２個の連続した時間スロットを含みうる。リソースグリッドは、２個の時間スロットを表すために使用され、各時間スロットは時間／周波数リソースブロックを含む。リソースグリッドは、複数のリソースエレメントに分割される。ＬＴＥ内では、リソースブロックは、周波数領域内において１２個の連続したサブキャリアを含み、各ＯＦＤＭシンボル内におけるノーマルサイクリックプリフィクスに対して、時間領域内には７個の連続したＯＦＤＭシンボルを含み、すなわち、８４個のリソースエレメントを含んでいる。拡張サイクリックプリフィックスに対して、リソースブロックは、時間領域には６個の連続したＯＦＤＭシンボルを含んでおり、７２個のリソースエレメントを有する。リソースエレメントのうちのいくつかは、Ｒ３０２、Ｒ３０４と示されているように、ダウンリンク基準信号（ＤＬ−ＲＳ）を含む。ＤＬ−ＲＳは、セル固有のＲＳ（ＣＲＳ）（共通ＲＳと呼ばれることもある）３０２と、ＵＥ固有のＲＳ（ＵＥ−ＲＳ）３０４とを含む。ＵＥ−ＲＳ３０４は、対応する物理ダウンリンク共有チャネル（ＰＤＳＣＨ）がマッピングされたリソースブロック上でのみ送信される。各リソースエレメントによって搬送されるビット数は、変調スキームに依存する。このように、ＵＥが受信するリソースブロックが多いほど、および、変調スキームが高度であるほど、そのＵＥのためのデータレートは高くなる。
【００３２】
[0045]図４は、ＬＴＥ内におけるアップリンクフレーム構造の例を示す図４００である。アップリンクのために利用可能なリソースブロックは、データセクションおよび制御セクションに区分されうる。制御セクションは、システム帯域幅の両端に形成されることができ、構成可能なサイズを有することができうる。制御セクション内の時間／周波数リソースブロックは、制御情報の送信のためにＵＥに割り当てられうる。データセクションは、制御セクション内に含まれない全てのリソースブロックを含みうる。アップリンクフレーム構造は、隣接したサブキャリアを含むデータセクションに帰結し、それは、単一のＵＥに、データセクション内の隣接したサブキャリアの全てに割り当てることを可能にさせうる。
【００３３】
[0046]ＵＥは、ｅノードＢに制御情報を送信するために、制御セクション内における時間／周波数リソースブロック４１０ａ、４１０ｂを割り当てられうる。このＵＥはまた、ｅノードＢにデータを送信するために、データセクション内のリソースブロック４２０ａ、４２０ｂを割り当てられうる。このＵＥは、制御セクション内において割り当てられたリソースブロック上の、物理アップリンク制御チャネル（ＰＵＣＣＨ）内で、制御情報を送信しうる。このＵＥは、データセクション内における割り当てられたリソースブロック上の物理アップリンク共有チャネル（ＰＵＳＣＨ）内で、データのみ、またはデータと制御情報の両方を送信しうる。アップリンク送信は、サブフレームの両スロットにまたがり、周波数にわたってホッピングしうる。
【００３４】
[0047]リソースブロックのセットは、物理ランダムアクセスチャネル（ＰＲＡＣＨ）４３０内で、アップリンクの同期を達成し、初期システムアクセスを実行するために使用されうる。ＰＲＡＣＨ４３０は、ランダムシーケンスを搬送する。各ランダムアクセスプリアンブルは、６個の連続するリソースブロックに対応する帯域幅を占有する。開始周波数は、ネットワークによって規定される。すなわち、ランダムアクセスプリアンブルの送信は、ある特定の時間および周波数リソースに制限される。ＰＲＡＣＨのためにホッピングする周波数はない。ＰＲＡＣＨ試みは、単一のサブフレーム（１ｍｓ）内、または少数の隣接するサブフレームのシーケンス内において搬送され、ＵＥは、フレーム（１０ｍｓ）毎にただ１つのＰＲＡＣＨ試みを行える。
【００３５】
[0048]図５は、ＬＴＥ内におけるユーザおよび制御プレーンのための無線プロトコルアーキテクチャの例を示す図５００である。ＵＥおよびｅノードＢのための無線プロトコルアーキテクチャは、３つのレイヤ、レイヤ１、レイヤ２、レイヤ３、で表示される。レイヤ１（Ｌ１レイヤ）は、最下位のレイヤであり、様々な物理レイヤ信号処理機能を実装する。L１レイヤは、本明細書において物理レイヤ５０６と呼ばれることになる。レイヤ２（Ｌ２レイヤ）５０８は、物理レイヤ５０６よりも上位にあり、物理レイヤ５０６にわたるＵＥおよびｅノードＢとの間のリンクを担う。
【００３６】
[0049]ユーザプレーンにおいて、Ｌ２レイヤ５０８は、メディアアクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それは、ネットワーク側のｅノードＢで終端となる。示されていないが、ＵＥは、ネットワーク側のＰＤＮゲートウェイ１１８で終端するネットワークレイヤ（例えば、ＩＰレイヤ）と、接続の他端（例えば、遠端ＵＥ、サーバ、等）で終端するアプリケーションレイヤとを含む、Ｌ２レイヤ５０８よりも上の、いくつかの上位レイヤを有しうる。
【００３７】
[0050]ＰＤＣＰサブレイヤ５１４は、異なる無線ベアラと論理チャネルとの間の多重化を提供する。ＰＤＣＰサブレイヤ５１４はまた、無線送信のオーバーヘッドを低減するための上位レイヤデータパケットのためのヘッダ圧縮と、データパケットを暗号化することによるセキュリティと、ｅノードＢ間でのＵＥのためのハンドオーバサポートとを提供する。ＲＬＣサブレイヤ５１２は、上位レイヤデータパケットのセグメンテーションおよびリアセンブリと、損失データパケットの再送と、ハイブリッド自動再送要求（ＨＡＲＱ）に起因する、順序が乱れた受信を補償するデータパケットの並び替えとを提供する。ＭＡＣサブレイヤ５１０は、論理チャネルとトランスポートチャネルとの間の多重化を提供する。ＭＡＣサブレイヤ５１０はまた、ＵＥ間での、１つのセル内における様々な無線リソース（例えば、リソースブロック）の割り振りを担う。ＭＡＣサブレイヤ５１０はまた、ＨＡＲＱ演算を担う。
【００３８】
[0051]制御プレーン内において、ＵＥおよびｅＮＢのための無線プロトコルアーキテクチャは、制御プレーンのためにヘッダ圧縮機能がないことは例外として、物理レイヤ５０６およびＬ２レイヤ５０８にとって実質的に同じである。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を取得することと、ｅノードＢとＵＥとの間でＲＲＣシグナリングを使用して下位レイヤを構成することとを担う。
【００３９】
[0052]図６は、アクセスネットワーク内においてＵＥ６５０と通信するｅノードＢ６１０のブロック図である。ダウンリンク内において、コアネットワークからの上位レイヤパケットは、制御器／プロセッサ６７５に提供される。制御器／プロセッサ６７５は、例えば、Ｌ２レイヤの機能を実装する。ダウンリンク内において、制御器／プロセッサ６７５は、ヘッダの圧縮、暗号化、パケットセグメンテーションおよび並び替え、論理チャネルとトランスポートチャネルとの間での多重化、様々な優先順位メトリックに基づいたＵＥ６５０への無線リソースの割り振りを提供する。制御器／プロセッサ６７５はまた、ＨＡＲＱ演算、損失パケットの再送、ＵＥ６５０へのシグナリングを担う。
【００４０】
[0053]ＴＸプロセッサ６１６は、例えば、Ｌ１レイヤ（すなわち、物理レイヤ）のための様々な信号処理機能を実装する。信号処理機能は、ＵＥ６５０における前方誤り訂正（ＦＥＣ）を容易にするようにコーディングおよびインターリーブすることと、様々な変調スキーム（例えば、２位相偏移変調（ＢＰＳＫ）、４位相偏移変調（ＱＰＳＫ）、Ｍ位相変調（Ｍ−ＰＳＫ）、Ｍ値直交振幅変調（Ｍ−ＱＡＭ））に基づいて信号コンステレーションにマッピングすることとを含む。コード化され変調されたシンボルは、その後、並行なストリームに分けられる。その後、各ストリームは、時間領域ＯＦＤＭシンボルストリームを搬送する物理チャネルを生成するために、ＯＦＤＭサブキャリアにマップされ、時間領域または周波数領域内において基準信号（例えば、パイロット）とともに多重化され、その後、逆高速フーリエ変換（ＩＦＦＴ）を使用して互いに組み合される。ＯＦＤＭストリームは、複数の空間ストリームを生成するために空間的にプリコーディングされる。チャネル推定器６７４からのチャネル推定値は、コーディングおよび変調スキームの判断、ならびに空間処理のために使用されうる。チャネル推定値は、ＵＥ６５０によって送信された基準信号またはチャネル条件フィードバックから導出されうる。その後、各空間ストリームは、別個の送信機／変調器６１８ＴＸを介して異なるアンテナ６２０に提供される。各送信機６１８ＴＸは、送信のためにそれぞれの空間ストリームを用いてＲＦキャリアを変調する。
【００４１】
[0054]ＵＥ６５０で、各受信機／復調器６５４ＲＸは、そのそれぞれのアンテナ６５２を通じて信号を受信する。各受信機６５４ＲＸは、ＲＦキャリア上に変調された情報を復元し、受信機（ＲＸ）プロセッサ６５６にその情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、その情報に空間処理を実行する。複数の空間ストリームがＵＥ６５０に宛てられる場合、それらは、ＲＸプロセッサ６５６により単一のＯＦＤＭシンボルストリームに組み合わされうる。その後、ＲＸプロセッサ６５６は、高速フーリエ変換（ＦＦＴ）を使用して、ＯＦＤＭシンボルストリームを時間領域から周波数領域へと変換する。周波数領域信号は、ＯＦＤＭ信号の各サブキャリアのための別個のＯＦＤＭシンボルストリームを備える。各サブキャリア上のシンボル、および基準信号は、ｅノードＢ６１０によって送信された最も確からしい信号コンステレーションポイントを判断することによって、復元および復調される。これらの軟判定は、チャネル推定器６５８によって計算されたチャネル推定値に基づきうる。その後、これらの軟判定は、物理チャネル上でｅノードＢ６１０によってオリジナルに送信されたデータおよび制御信号を復元するために、復号化およびデインターリーブされる。その後、データおよび制御信号は、制御器／プロセッサ６５９に提供される。
【００４２】
[0055]制御器／プロセッサ６５９は、例えば、Ｌ２レイヤを実装する。制御器／プロセッサは、プログラムコードとデータを記憶するメモリ６６０に関連付けられることができる。メモリ６６０は、コンピュータ可読媒体として呼ばれうる。アップリンク内において、制御器／プロセッサ６５９は、コアネットワークからの上位レイヤパケットを復元するために、トランスポートチャネルと論理チャネルとの間での逆多重化、パケットのリアセンブリ、暗号解読、ヘッダの解凍、制御信号処理を提供する。その後、上位レイヤパケットは、データシンク６６２に提供され、それは、Ｌ２レイヤより上位の全てのプロトコルレイヤを表す。様々な制御信号はまた、Ｌ３処理のために、データシンク６６２に提供されうる。制御器／プロセッサ６５９はまた、ＨＡＲＱ演算をサポートするために、肯定応答（ＡＣＫ）または否定応答（ＮＡＣＫ）プロトコルを使用した誤り検出を担う。
【００４３】
[0056]アップリンク内において、データソース６６７は、上部レイヤパケットを制御器／プロセッサ６５９に提供するために使用される。データソース６６７は、Ｌ２レイヤより上位の全てのプロトコルレイヤを表す。ｅノードＢによるダウンリンク送信に関連して説明された機能と同様に、制御器／プロセッサ６５９は、例えば、ヘッダ圧縮、暗号化、パケットセグメンテーションと並び替え、およびｅノードＢ６１０による無線リソースの割り振りに基づいて論理チャネルとトランスポートチャネルとの間での多重化を提供することにより、ユーザプレーンおよび制御プレーンのためのＬ２レイヤを実装する。制御器／プロセッサ６５９はまた、ＨＡＲＱ演算、損失パケットの再送、ｅノードＢ６１０へのシグナリングを担う。
【００４４】
[0057]ｅノードＢ６１０によって送信される基準信号またはフィードバックからチャネル推定機６５８によって導出されるチャネル推定値は、適切なコーディングおよび変調スキームを選択するために、および空間処理を容易にするためにＴＸプロセッサ６６８によって使用されうる。ＴＸプロセッサ６６８によって生成された空間ストリームは、別個の送信機／変調器６５４ＴＸを介して異なるアンテナ６５２に提供される。各送信機６５４ＴＸは、送信のためにそれぞれの空間ストリームを用いてＲＦキャリアを変調する。
【００４５】
[0058]アップリンク送信は、ＵＥ６５０での受信機機能と関係して説明されたものと類似の方式でｅノードＢ６１０で処理される。各受信機／復調器６１８ＲＸは、そのそれぞれのアンテナ６２０を通じて、信号を受信する。各受信機６１８ＲＸは、ＲＦキャリア上に変調された情報を復元し、ＲＸプロセッサ６７０にその情報を提供する。ＲＸプロセッサ６７０は、例えば、Ｌ１レイヤを実装しうる。
【００４６】
[0059]制御器／プロセッサ６７５は、例えば、Ｌ２レイヤを実装する。制御器／プロセッサ６７５は、プログラムコードとデータを記憶するメモリ６７６に関連付けられることができる。メモリ６７６は、コンピュータ可読媒体として呼ばれうる。アップリンク内において、制御器／プロセッサ６７５は、ＵＥ６５０からの上位レイヤパケットを復元するために、トランスポートチャネルと論理チャネルとの間での逆多重化、パケットのリアセンブリ、暗号解読、ヘッダの解凍、制御信号処理を提供する。制御器／プロセッサ６７５からの上位レイヤパケットは、コアネットワークに提供されうる。制御器／プロセッサ６７５はまた、ＨＡＲＱ演算をサポートするために、ＡＣＫまたはＮＡＣＫプロトコルを使用して誤り検出を担う。基地局６１０は、例えば、Ｘ２インターフェースのようなバックホールインターフェース６４１を通して他の基地局にメッセージを送信しうる。制御器／プロセッサ６７５および制御器／プロセッサ６５９は、それぞれ、ｅノードＢ６１０およびＵＥ６５０での動作を指示しうる。ｅノードＢ６１０における他のプロセッサおよびモジュール、または制御器／プロセッサ６７５、またはＵＥ６５０における他のプロセッサおよびモジュール、または制御器／プロセッサ６５９は、本明細書で説明される技法のための様々な処理の実行を遂行または指示しうる。メモリ６７６およびメモリ６６０は、それぞれ、ｅノードＢ６１０およびＵＥ６５０のためのデータおよびプログラムコードを記憶しうる。
【００４７】
[0060]近隣通信スペクトル内において、単一無線アクセス技術、または異なる無線アクセス技術が同時に動作する場合、デバイス間での潜在的な干渉が発生しうる。例えば、ある通信デバイスが通信を受信しようと試みている際に、同時に別のデバイスが送信を行っており、両デバイスが同じ、または通信スペクトルの隣接する部分を使用する場合、受信デバイスは、干渉を経験しうる。
【００４８】
[0061]ＬＴＥ−ＴＤＤ内において、ＵＥからｅノードＢへのアップリンク送信、およびｅノードＢからＵＥへのダウンリンク送信の両方は、同じ通信スペクトルを使用する。アップリンク送信とダウンリンク送信は、多数のＵＥ間の通信を調整するために時間において直交化される。異なる時分割複信（ＴＤＤ）構成は、ＵＥのための送信時間と受信時間を調整するために規定されうる。ＬＴＥ内においてサポートされる異なるＴＤＤ構成は、以下の表１に示される。
【００４９】
【表１】
2018129804.tif 000003
【００５０】
表１において、Ｄは、ダウンリンク（ＤＬ）のためのサブフレーム（すなわち、ｅノードＢからＵＥへの通信）を示し、Ｕは、アップリンク（ＵＬ）のためのサブフレーム（すなわち、ＵＥからｅノードＢへの通信）を示し、Ｓは、特別なサブフレームを示す。特別なサブフレームは、ダウンリンクＯＦＤＭシンボル、ガード期間、およびアップリンクＯＦＤＭシンボルを含みうる。
【００５１】
[0062]ＬＴＥ−ＴＤＤの実装において、近隣ｅノードＢ基地局は、同じサブフレーム境界で同期化されうる。さらに、近隣基地局は、近隣物として同じＴＤＤ構成内で動作しうる。例えば、２つの近隣基地局は、ダウンリンクサブフレーム、特別なサブフレーム、および３つのアップリンクサブフレームとともにＴＤＤ構成０を使用して両方とも動作し、５ｍｓごとに繰り返しうる。したがって、１つの基地局がダウンリンク上で送信する場合、近隣基地局もまたダウンリンク上で送信する。このシナリオにおいて、１つの基地局によってサービスされるＵＥは、近隣基地局からのダウンリンク送信に起因して、ダウンリンクサブフレーム内で干渉を経験しうる。例えば、図７に示されるように、２つの基地局７０４と７０８との間のサービス境界近くに位置するＵＥ７０２は、近隣基地局７０８からのダウンリンク送信７１４に起因して、ダウンリンクサブフレーム内で干渉を経験しうる。
【００５２】
[0063]図７に示されるように、ＵＥ７０２は、サービスエリア７０６の端にてｅノードＢ７０４にサービスされる。ダウンリンク送信７１２は、ＵＥ７０２によって受信されるよう意図された信号である。さらに、ＵＥ７０２が非サービングｅノードＢ７０８のサービスエリア７１０の端に近いため、ＵＥ７０２はまた、非サービングｅノードＢ７０８からのダウンリンク（ＤＬ）送信７１４を受信しうる。ｅノードＢ７０８からのダウンリンク送信７１４は、意図されたダウンリンク送信７１２の受信に干渉しうる。典型的に、ＵＥ７０２は最強の利用可能なセルに接続される。したがって、干渉ダウンリンク送信７１４は、意図されたダウンリンク送信７１２よりも弱くなるか、または同じ強度幅になる可能性がある。
【００５３】
[0064]ＬＴＥ−ＴＤＤは、近隣セルが同じ構成を使用する場合のケースのために主に設計されているが、ｅノードＢのトラフィック条件に依存してｅノードＢがＴＤＤ構成を選択できるようにすることが望まれうる。したがって、いくつかの場合において、近隣基地局は、異なるＴＤＤ構成を使用して動作しうる。それ故に、近隣基地局が異なるＴＤＤ構成を使用して動作する場合、１つの基地局のためのアップリンク通信は、別の基地局のためのダウンリンク通信と同時に起こりうる。さらに、近隣セルが異なるＴＤＤ構成を使用する場合、同じスペクトルがダウンリンク通信とアップリンク通信に使用されているため、ＵＥは、近隣ｅノードＢとともにアップリンク通信に従事するＵＥからのダウンリンク干渉を経験しうる。図８は、近隣セルが異なるＴＤＤ構成を使用する場合、近隣ｅノードＢとともにアップリンク通信に従事するＵＥからのダウンリンク干渉を経験するＵＥの例を示す。
【００５４】
[0065]図８に示されるように、第１のｅノードＢ８０８は、ＵＥ８２０とともにアップリンクサブフレームの間にアップリンク通信８１６に従事すると同時に、第２のｅノードＢ８０４は、ＵＥ８０２とともにダウンリンクサブフレームの間にダウンリンク通信８１２に従事する。すなわち、ＵＥ８２０がアップリンクサブフレームを送信すると同時に、ＵＥ８０２がダウンリンクサブフレームを受信する。同じ通信帯域幅は、アップリンク通信とダウンリンク通信の両方のために、各ＵＥによって共有されうる。したがって、ＵＥ８２０と８０２は互いに近くに位置するため（そして、ｅノードＢカバレッジエリア８１０と８０６それぞれの端にも近いため）、ＵＥ８２０のアップリンク送信８１６は、ＵＥ８０２のダウンリンク受信に干渉（８１４）しうる。いくつかの場合において、ＵＥ８２０は、第２のｅノードＢ８０４よりも低い電力で送信しうるが、ＵＥ８２０がＵＥ８０２までの特定の距離内にある場合、ＵＥ８２０からのアップリンク干渉８１４は、第２のｅノードＢ８０４からの意図されたダウンリンク通信８１２よりも強いＵＥ８０２の観点（perspective）からの受信信号になりうる。この状況は、ＵＥ８０２への顕著な干渉をもたらしうる。
【００５５】
[0066]典型的に、ＵＥは、ダウンリンクサブフレーム上の干渉の不均等なレベルを取り扱うよう設計されていない。むしろ、例えば、ＵＥは、全てのダウンリンクサブフレーム上の類似の干渉レベルを想定して設計されうる。したがって、いくつかの場合において、１つのサブフレーム上のみで経験された干渉は、複数のサブフレーム上で貧弱な性能につながり、リンク障害、または呼が落ちることに帰結する可能性がありうる。  
[0067]いくつかの場合において、ＵＥは、干渉レベルに従った重みづけなしに、複数のサブフレームにわたる共通基準信号（ＣＲＳ）から取得されたチャネル推定値をフィルタリングしうる。例として、チャネル推定値は、１つのサブフレーム上のＵＥへのＵＥの干渉によって破損しうる。それ故に、破損したチャネル推定値は、１つまたは複数の後続サブフレーム上で貧弱な性能に帰結しうる。
【００５６】
[0068]さらに、いくつかの場合において、自動利得制御（ＡＧＣ）は、受信信号電力に基づいて制御されうる。一例において、１つのサブフレーム上で経験されたＵＥへのＵＥの干渉は、大きな受信電力に帰結しうる。大きな受信電力に基づいて、ＡＧＣは、大きな平均受信電力を想定しうる。大きな平均受信電力は、ＵＥへのＵＥの干渉および可能性のある無線リンク障害を観測しないダウンリンクサブフレーム上で貧弱な定量化に帰結しうる。
【００５７】
[0069]類似の干渉問題はまた、２つの隣接キャリアが、異なるけれども近隣の帯域幅スペクトルで動作する場合に起こりうる。干渉は、キャリアが、１つのキャリア周波数のためのダウンリンクおよび別のキャリア周波数のためのアップリンクであるサブフレーム上で異なるＴＤＤ構成を使用した場合に起こりうる。例えば、１つのキャリアが帯域幅スペクトル２３０５から２３２５ＭＨｚ内で通信する一方、別のキャリアが帯域幅スペクトル２３２７．５から２３５７．５ＭＨｚ内で通信する場合、キャリア間のガード帯域は、わずか２．５ＭＨｚである。いくつかの場合において、ＵＥのキャリアスペクトルから近隣キャリアのスペクトルへのＵＥ送信リーケージは、近隣ＵＥの帯域幅内において、より高い干渉を引き起こしうる。引き起こされた干渉は、周波数間隔が増えるにつれて減りうる。干渉キャリアにより近い周波数帯域の端上に割り振られたデータは、中心のリソースブロック上に割り振られたデータよりもこの干渉に遭遇しうる。さらに、第１のキャリアのＵＥに対して、その帯域幅内の送信電力は、第２のキャリア上で動作する近隣ＵＥにてＡＧＣの飽和状態を引き起こしうる。
【００５８】
[0070]基準信号受信電力（ＲＳＲＰ）は、信号強度の１つの測定値である。さらに、基準信号受信品質（ＲＳＲＱ）は、基準信号受信電力と受信強度信号インジケータ（ＲＳＳＩ）の比である。言い換えれば、基準信号受信品質は、ｄＢにおける基準信号受信電力と受信強度信号インジケータ（ＲＳＳＩ）の差である。受信強度信号インジケータは、信号強度と干渉の合計を指しうる。ｅノードＢは、ハンドオーバを開始すべきかを判断するために、ＵＥに、基準信号受信電力と基準信号受信品質測定値をレポートするよう要求しうる。例えば、基準信号受信品質がＬＴＥリンク上のしきい値を下回る場合、ｅノードＢは、ユニバーサルモバイル電気通信システム（ＵＭＴＳ）ネットワークのような別のネットワークへＵＥのハンドオーバを開始しうる。
【００５９】
[0071]受信強度信号インジケータ、または基準信号受信品質測定値は、ＵＥが時間とともに変化する干渉を経験する場合、サブフレームごとに変化しうる。したがって、時とともに干渉が変化する場合、強度信号インジケータ、または基準信号受信品質測定を計算、レポートするために、様々なソリューションがＵＥのために規定されうる。さらに、ｅノードＢがどのように信号強度インジケータ、または基準信号受信品質レポートに基づいてハンドオーバ決定を判断するかについて、他のソリューションが規定されうる。すなわち、判断は、どの特定のサブフレームが実際に干渉を経験するのかに基づく。例えば、ハンドオーバは、干渉の変化に困難を有するＵＥのためにトリガされうる。代替として、ハンドオーバは、干渉の変化を取り扱うよう設計されたＵＥのためにトリガされえない。提示されているのは、強度信号インジケータまたは基準信号受信品質を計算し、レポートし、ＵＥハンドオーバをいつ開始するのかを決定するソリューションである。提示されたソリューションにおいて、ハンドオーバは、干渉の変化を取り扱いえないＵＥのためにトリガされうることに留意されたい。
【００６０】
[0072]本開示の１つの様態にしたがって、ｅノードＢのような基地局は、測定されたＵＥへのＵＥの干渉に基づいてＵＥのハンドオーバを開始する。例えば、ｅノードＢは、ＵＥへのＵＥの干渉のためにレポートを送信したＵＥ、ＵＥへのＵＥの干渉を取り扱うＵＥ能力、ＵＥがＵＥへのＵＥの干渉に遭遇すると予測されているかどうか、ＵＥへのＵＥの干渉のデューティサイクル、ＵＥへのＵＥの干渉に影響を受けるサブフレーム、またはそれらの組み合わせに基づいて、ＵＥのハンドオーバを開始しうる。
【００６１】
[0073]１つの構成では、ＵＥは、チャネル品質インデックス（ＣＱＩ）のような、チャンネル状態を、あるサブフレームのみ内におけるｅノードＢにレポートしうる。言い換えれば、制限された測定が生じる。具体的には、ＵＥは、ＵＥへのＵＥの干渉を経験しないサブフレームのためのチャネル状態レポートと、ＵＥへのＵＥの干渉を経験するサブフレームのための別のチャネル状態レポートを生成しうる。１つの構成では、ＵＥは、ＵＥへのＵＥの干渉を経験するサブフレームをレポートする。１つの様態において、このレポートは、ＵＥがサブフレーム上でＵＥへのＵＥの干渉を経験することを基地局に示すシングルビットでありうる。別の構成では、ＵＥは、ＵＥへのＵＥの干渉を経験しないサブフレームのみをレポートする。チャネル状態レポートは、基準信号受信電力、受信強度信号インジケータ、または基準信号受信品質レポートを含みうる。
【００６２】
[0074]範囲拡大構成において、ＵＥは、クリーンなサブフレーム（例えば、オールモストブランクサブフレーム（ＡＢＳ：almost blank subframes））、およびクリーンでないサブフレームのための両方のチャネル状態情報をレポートしうる。範囲拡大が可能な場合に、ＵＥへのＵＥの干渉シナリオに対処するため、ｅノードＢは、規定されたチャネル状態レポートの数を増やしうる。代替として、別の構成において、チャネル状態レポートの２つのタイプのみが生じるので、範囲拡大は、ＵＥへのＵＥの干渉を経験するＵＥに対して無効にされうる。
【００６３】
[0075]上述したように、ＵＥへのＵＥの干渉に対処するため、ｅノードＢは、干渉の測定を特定のサブフレームに限定しうる。特定のサブフレームは、ＵＥへのＵＥの干渉を経験するサブフレームと、ＵＥへのＵＥの干渉を経験しないサブフレームとを含みうる。制限された測定は、ｅノードＢまたは近隣ｅノードＢのアップリンク／ダウンリンク構成に基づきうる。１つの構成では、アップリンク／ダウンリンク構成は、表１のＴＤＤ構成である。さらに、制限された測定は、予測されたＵＥへのＵＥの干渉に基づきうる。例えば、ｅノードＢは、ＵＥへのＵＥの干渉を経験することを予測されていないサブフレームに測定を制限しうる。具体的には、ｅノードＢは、ｅノードＢおよび近隣ｅノードＢの両方のアップリンク／ダウンリンク構成内の共通ダウンリンクサブフレームに測定を制限しうる。例えば、サブフレーム０は、ＴＤＤ構成１および２に対して同じである。したがって、サブフレーム０は、ＴＤＤ構成１および２にわたって共通のダウンリンクサブフレームである。
【００６４】
[0076]ｅノードＢは、予測されたＵＥへのＵＥの干渉に基づく測定を制限するようにＵＥを構成しうる。代替として、または、それに加えて、制限された測定のためのサブフレームは、観測されたＵＥへのＵＥの干渉、またはＵＥへのＵＥの干渉を取り扱うＵＥの能力に基づきうる。一例において、制限された測定は、ＵＥへのＵＥの干渉を経験することを予測されないサブフレームに対応するレポートを含む。
【００６５】
[0077]ＵＥへのＵＥの干渉を経験することを予測されないサブフレームを判断するために、ｅノードＢは、近隣ｅノードＢのアップリンク／ダウンリンク構成を取得しうる。近隣ｅノードＢのアップリンク／ダウンリンク構成は、バックホールメッセージ、ｅノードＢで行われた測定、または近隣ｅノードＢのアップリンク／ダウンリンク構成を識別するＵＥからのメッセージを介して取得されうる。さらに、ｅノードＢは、既存の制限されたサブフレームシグナリングを使用しうる、または新しいシグナリングが、制限されたサブフレームのＵＥに通知するために提供されることもできる。
【００６６】
[0078]さらに、別の構成では、潜在的な干渉が、サービングｅノードＢと近隣ｅノードＢの両方に影響を与えうるため、制限されたサブフレームの共通セットは、サービングｅノードＢと近隣ｅノードＢとの両方に使用されうる。
【００６７】
[0079]１つの構成では、ＵＥがＵＥへのＵＥの干渉を経験すると予測されない場合、測定上の制限は規定されない。別の構成では、ＵＥが、ＵＥへのＵＥの干渉を経験すると予測されない場合、制限されたサブフレームは、ＵＥへのＵＥの干渉を経験すると予測されるＵＥの制限されたサブフレームとは異なる。
【００６８】
[0080]別の構成では、ハンドオーバと測定構成に関する異なる決定は、ＵＥがＵＥへのＵＥの干渉を取り扱えるかに基づく。例えば、干渉のデューティサイクルがあるレベルを超える場合、測定上の制限は規定されない。別の構成では、ＵＥがＵＥへのＵＥの干渉を取り扱えない場合、制限されたサブフレームは、ＵＥへのＵＥの干渉に対処する能力を有するＵＥの制限されたサブフレームとは異なる。干渉を取り扱うことができるＵＥは、干渉除去を実行することができるＵＥであることもできる。
【００６９】
[0081]ＵＥへのＵＥの干渉を取り扱えないＵＥのためのハンドオーバ決定は、ＵＥへのＵＥの干渉に対処する能力を有するＵＥのためのハンドオーバ決定とは異なりうる。ｅノードＢはまた、サブフレームが影響を受けるデューティサイクル、またはハンドオフを開始するかどうかを判断する場合の干渉レベルを考慮する。これらのパラメータは、全てのサブフレームにわたる平均干渉の代わりに考慮される。さらに、ｅノードＢはまた、ハンドオフ後に予測される性能と比較して、現在のセル内におけるダウンリンク送信とアップリンク送信のための予測されるＵＥ性能を考慮しうる。
【００７０】
[0082]異なる測定構成（例えば、制限された測定）は、ＵＥが時間とともに、有意の干渉の変化に遭遇することを予測されるかどうかに基づいて適用されることができる。ＵＥがＵＥへのＵＥの干渉に遭遇することを予測されるかどうかを判断することは、その干渉条件のＵＥフィードバックに基づきうる。例えば、ＵＥは、最近のうちにＵＥへのＵＥの干渉に遭遇することをレポートしえ、それにより、レポートされた干渉は、将来の潜在的なＵＥへのＵＥの干渉を示しうる。別の例として、ｅノードＢは、ＵＥが以前のチャネル状態レポートに基づくＵＥへのＵＥの干渉を経験することを判断しうる。例えば、有意に変化する以前のチャネル状態レポートは、ＵＥへのＵＥの干渉に起因する場合があるバースト的な干渉の変化を示しうる。時間とともに有意に変化しうる、そのようなバースト的な干渉は、本明細書で記述されたように扱われうる。
【００７１】
[0083]ＵＥは、ＵＥがＵＥへのＵＥの干渉のようなバースト的な干渉を経験するという、ｅノードＢにシグナリングする機能性とともに提供されうる。例えば、ＵＥは、ＵＥがＵＥへのＵＥの干渉を経験するかどうかを判断するために、異なるダウンリンクサブフレーム上で、干渉、または受信電力を測定しうる。ｅノードＢは、（ＣＱＩレポートのような）以前のチャネル状態レポートに基づいて、ＵＥがＵＥへのＵＥの干渉を経験するかを判断しうる。一例において、有意に変化するレポートは、ＵＥへのＵＥの干渉を示すこともできる。
【００７２】
[0084]１つの様態において、特定のサブフレームの干渉測定は、近隣ｅノードＢが、サービングｅノードＢのアップリンク／ダウンリンク構成と比較して、異なるアップリンク／ダウンリンク構成を有する場合に、ＵＥがセルの端または中心に位置するかどうかに基づいて調整されうる。この様態では、干渉の変化の影響は、セルの端のＵＥと比較して、セルの中心のＵＥでは少なくなりうる。
【００７３】
[0085]簡潔に上述されたように、ｅノードＢは、ハンドオーバを開始するかどうかを決定する場合にどのサブフレームが影響を受けるかと、干渉のデューティサイクルとを分析しうる。例えば、ｅノードＢは、全てのサブフレームにわたる平均を見るというよりはむしろ、特定のサブフレーム（例えば、アップリンク許可を含むサブフレーム）が影響を受ける場合にハンドオーバを開始しうる。ｅノードＢは、干渉の影響を受けた特定のサブフレームに基づいてハンドオフを開始しうる。例えば、ｅノードＢは、アップリンク許可を含む全てのダウンリンクサブフレームが影響を受ける場合、ハンドオーバを開始しうる。この例において、ハンドオフは、他のダウンリンクサブフレームが影響を受けるかどうかに関係なく開始されうる。さらに、ハンドオーバは、ＵＥがダウンリンクサブフレームとアップリンクサブフレームの両方で依然としてサービスされうるよう、影響を受けたダウンリンクサブフレームの数がしきい値を下回る場合、開始されえない。
【００７４】
[0086]ｅノードＢが、時間にわたって干渉が変化する場合に判断する別の方法は、他のインジケータを検査することである。ｅノードＢは、制限されたサブフレームの干渉測定の代わりに、またはそれに加えてチャネル品質情報（ＣＱＩ）レポートのような他の干渉インジケータを利用しうる。例えば、デュアルＣＱＩを持つ、ｅノードＢは、良質な、および悪質なサブフレームＣＱＩ測定を有しうる。これは、特定のサブフレームの（平均干渉をレポートする）制限された干渉測定レポートに加えて、またはその代わりに使用されうる。この例において、ｅノードＢは、たとえ測定レポートが悪質であっても、ＣＱＩレポートが良質である場合、ハンドオーバを開始しえない。ＣＱＩレポートに加えて、他のインジケータは、パケットエラーレートのようなメトリック、またはダウンリンクチャネルを復号化する能力を含む。例えば、ＵＥは、依然としていくつかのサブフレームのために肯定応答（ＡＣＫ）を送信し、パケットを制御し、データを受信することができる場合、ＬＴＥネットワークにとどまりうる。さらに、ＵＥは、対応する物理ダウンリンク制御チャネル（ＰＤＣＣＨ）を復号した後に、ＵＥがアップリンクチャネル上に情報を送信できる場合、ＬＴＥネットワークにとどまりうる。
【００７５】
[0087]本開示の別の様態において、ＵＥは、干渉を経験することを予測されていない特定のサブフレームへの、ＲＳＲＰ、ＲＳＳＩ、またはＲＳＲＱのような測定を自律的に制限することを決定しうる。例えば、ＵＥは、全てのアップリンク／ダウンリンク構成に共通するダウンリンクサブフレームへの測定を制限しうる。一例において、ＵＥは、表１に見られるように、各ＴＤＤ構成内のダウンリンクサブフレームである、サブフレーム０、１、および５への干渉測定を制限する。ＵＥは、ＵＥが測定されているｅノードＢのアップリンク／ダウンリンク構成を知らない場合の、全てのアップリンク／ダウンリンク構成に共通するダウンリンクサブフレームに干渉測定を限定しうる。例えば、ＵＥは、周波数間測定を行う場合の、ｅノードＢのアップリンク／ダウンリンク構成を知らない場合がある。
【００７６】
[0088]周波数内測定のために、ＵＥは、近隣ｅノードＢ、ならびに測定されたｅノードＢのアップリンク／ダウンリンク構成に気付きうる。例えば、ＵＥは、ｅノードＢから送られた近隣セル構成（ＮｅｉｇｈＣｅｌｌＣｏｎｆｉｇ）情報の一部として伝達されたパラメータから近隣ｅノードＢのアップリンク／ダウンリンク構成を知りうる。したがって、ＵＥは、測定のための共通サブフレームよりも多くのサブフレームを使用しうる。しかしながら、ＵＥは、測定がＵＥへのＵＥの干渉を捕捉するのを避けるために、サブフレーム０、１、５、および６（表１を参照）のような共通サブフレームへの測定を制限しうる。近隣ｅノードＢが、サービングｅノードＢと同じアップリンク／ダウンリンク構成を使用していない場合、ＵＥは、表１に示されたＴＤＤ構成のサブフレーム０、１、５、および６への干渉測定を制限するように選択しうる。
【００７７】
[0089]上述したように、ＵＥは、サービングｅノードＢによって構成されたダウンリンクサブフレームへの測定を制限しうる。代替として、ＵＥは、低干渉を有するとして検出されたダウンリンクサブフレームへの測定を制限しうる。例として、ＵＥは、無干渉にまで低減したダウンリンクサブフレームを検出するために、それ自身の測定を使用しうる。この例において、ＵＥは、複数のサブフレームの干渉を測定し、次に、低減した干渉を有するサブフレームに基づいて、制限されたサブフレームを選択するために測定を利用しうる。ＵＥは、ｅノードＢへ、そのような干渉条件をレポートしうる。
【００７８】
[0090]ＵＥはまた、ＵＥへのＵＥの干渉を取り扱うＵＥの能力、ＵＥがＵＥへのＵＥの干渉に遭遇することを予測されるかどうか、ＵＥへのＵＥの干渉のデューティサイクル、ＵＥへのＵＥの干渉に影響を受けるサブフレーム、またはそれらの組み合わせに基づいて、特定のサブフレームを選択しうる。例えば、干渉のデューティサイクルが低い場合、ＵＥは、制限された測定を使用することを決定しうる。デューティサイクルが高い場合、ＵＥは、干渉を説明し、レポートするよう決定しうる。
【００７９】
[0091]ＵＥは、干渉の変化が存在する場合に、どのタイプの情報をレポートするかを決定するための複数のオプションを有する。ＵＥは、最良の条件、最低の条件、またはいくつかの中間の条件をレポートしうる。ＵＥは、干渉のレベルおよびデューティサイクル、ＵＥはそのような干渉の変化を取り扱えるのかどうか、どのサブフレームが影響を受けるのか、現在のセル／キャリア／技術内のアップリンク／ダウンリンク上の予測されるＵＥの性能、および／またはＵＥがハンドオフする場合の予測される性能に基づいて、どれをレポートするかを決めうる。ＵＥが利用可能な複数のキャリアを有する場合、ＵＥは、ＵＥへのＵＥの干渉に遭遇しないキャリアを選択することを優先しうる。
【００８０】
[0092]制限された測定が、マクロセルの受信電力と比較して、低受信電力でピコセルを測定することによって範囲拡大を可能にするために、ＬＴＥリリース１０で導入されたことは理解される。典型的に、制限された測定は、接続モード内でのみ実行された。それ故に、測定は、アイドルモード内では制限されず、弱いピコセルを発見しないＵＥに帰結しただろう。それにもかかわらず、マクロセルに接続された場合、一旦ＵＥが、接続モード内に入ると、ＵＥは、ピコセルと接続が可能になるだろう。同様に、制限された測定は、周波数間測定のためには使用されなかった。
【００８１】
[0093]しかしながら、本開示の１つの様態において、制限された測定は、アイドルモード内で起こりうる。ＵＥが接続モード内にない（すなわち、基地局に接続された）場合、ＵＥは、セル上に「とどまること」としてさらに呼ばれる、アイドルモード内にいると考えられる。制限された測定は、（例えば、キャリアアグリゲーション構成内で）ＬＴＥキャリアがＵＥへのＵＥの干渉を経験するかどうかを測定するような、周波数間測定を行う場合にさらに起こりうる。さらに、新しいシグナリングは、アイドルモード測定または周波数間測定の間に、干渉測定のための特定のサブフレームセットのＵＥに通知するために導入されうる。したがって、測定を行う場合、ＵＥは、他のサブフレームが高干渉を経験することを知りうるため、特定のサブフレームのみを測定しうる。同様に、ｅノードＢは、低干渉を経験することを知る特定のサブフレームのみを測定するように、ＵＥを制限しうる。
【００８２】
[0094]上記ソリューションおよび様態は、アップリンク／ダウンリンク構成に基づくＵＥへのＵＥの干渉に限定されず、ＴＤＤネットワークに限定されないことに留意されたい。干渉ソースは、例えば、ＬＴＥ無線とともに共存問題を引き起こすＷＬＡＮ無線といった、マルチ無線デバイス上のクロス無線干渉のようなソースおよび他の無線アクセス技術（ＲＡＴ）からでありうる。
【００８３】
[0095]図９は、時間変動干渉を考慮したワイヤレス通信のための方法を示すフローチャート９００である。本開示の１つの様態において、通信は、ユーザ機器（ＵＥ）およびサービング基地局間で生じうる（ブロック９０２）。決定は、時間変動干渉のレポート、ＵＥが時間変動干渉に遭遇することが予測されているかどうか、時間変動干渉を取り扱うＵＥの能力、または時間変動干渉によってどのサブフレームが影響を受けるのかのような、時間変動干渉の要因に少なくとも部分的に基づいてＵＥをハンドオフするかどうかに関して行われる（ブロック９０４）。
【００８４】
[0096]図１０は、時間変動干渉を考慮したワイヤレス通信のための方法を示すフローチャート１０００である。本開示の１つの様態において、決定は、特定のサブフレームに測定を制限するために行われうる（ブロック１００２）。特定のサブフレームの測定は、レポートされうる（ブロック１００４）。
【００８５】
[0097]図１１は、時間変動干渉を考慮したワイヤレス通信のための方法を示すフローチャート１１００である。本開示の１つの様態において、決定は、アイドルモード内で動作する、または周波数間測定を実行するユーザ機器（ＵＥ）のために、時間／周波数リソースの特定のセットへの測定を制限するために行われうる（ブロック１１０２）。制限を示す情報は、シグナリングされうる（ブロック１１０４）。
【００８６】
[0098]図１２は、時間変動干渉を考慮したワイヤレス通信のための方法を示すフローチャート１２００である。本開示の１つの様態において、決定は、アイドルモード内で動作する、または周波数間測定を実行するユーザ機器のために、時間／周波数リソースの特定のセットへの測定を制限するために行われうる（ブロック１２０２）。時間／周波数リソースの特定のセットの測定は、レポートされうる（ブロック１２０４）。
【００８７】
[0099]図１３は、処理システム１３１４を用いる装置１３００のためのハードウェア実装の例を示す図である。処理システム１３１４は、バス１３２４によって一般的に表されたバスアーキテクチャとともに実装されうる。バス１３２４は、全体的な設計の制約および処理システム１３１４の特定アプリケーションに依存して、任意の数の相互接続バスおよびブリッジを含みうる。バス１３２４は、プロセッサ１３２２、モジュール１３０２、１３０４、およびコンピュータ可読媒体１３２６によって表された、１つまたは複数のプロセッサまたはモジュールを含む様々なモジュール／回路をともにリンクさせる。バス１３２４はまた、タイミングソース、周辺機器、電圧レギュレータ、および電力管理回路のような様々な他のモジュール／回路をリンクさせうるが、これらは当該技術で周知であるので、これ以上説明しない。
【００８８】
[00100]装置は、トランシーバ１３３０に結合された処理システム１３１４を含む。トランシーバ１３３０は、１つまたは複数のアンテナ１３２０に結合される。トランシーバ１３３０は、伝送媒体を介して様々な他の装置と通信を可能にする。処理システム１３１４は、コンピュータ可読媒体１３２６に結合されたプロセッサ１３２２を含む。プロセッサ１３２２は、コンピュータ可読媒体１３２６上に記憶されたソフトウェアの実行を含む、一般的な処理を担う。ソフトウェアは、プロセッサ１３２２によって実行される場合、任意の特定の装置のために説明される様々な機能を処理システム１３１４に実行させる。コンピュータ可読媒体１３２６はまた、ソフトウェアを実行する場合にプロセッサ１３２２によって操作されるデータを記憶するために使用されうる。
【００８９】
[00101]処理システム１３１４は、ＵＥおよび基地局間で通信するための通信モジュール１３０２を含む。通信モジュール１３０２はまた、ユーザ機器（ＵＥ）によって特定のサブフレームの測定をレポートするためのものでありうる。通信モジュールはまた、測定制限を示す情報をＵＥにシグナリンクするためのものでありうる。通信モジュールはまた、時間／周波数リソースの特定のセットの測定をレポートするためのものでありうる。処理システム１３１４はまた、時間変動干渉要因に少なくとも部分的に基づいたＵＥをハンドオフするかどうかを決定するためのモジュール１３０４を決定することを含む。モジュール１３０４を決定することはまた、特定のサブフレームへの測定を制限することを決定するためのものでありうる。モジュール１３０４を決定することはまた、アイドルモード内で動作する、または周波数間測定を実行するユーザ機器（ＵＥ）のために、時間／周波数リソースの特定のセットへの測定を制限することを決定するためのものでありうる。モジュールは、プロセッサ１３２２内において実行中のソフトウェアモジュール、コンピュータ可読媒体１３２６内に存在／記憶されたソフトウェアモジュール、プロセッサ１３２２に結合された１つまたは複数のハードウェアモジュール、またはそれらのある組み合わせでありうる。処理システム１３１４は、ＵＥ６５０、またはｅノードＢ６１０のコンポーネントでありえ、メモリ６６０、または制御器／プロセッサ６５９、またはメモリ６７６、または制御器／プロセッサ６７５を含みうる。
【００９０】
[00102]１つの構成では、ｅノードＢ６１０は、通信するための手段、シグナリングするための手段、またはレポートするための手段を含むワイヤレス通信のために構成される。１つの様態において、通信、シグナリング、またはレポートする手段は、通信、シグナリング、またはレポートする手段によって列挙された機能を実行するために構成された通信モジュール１３０２、アンテナ１３２０／６２０、ＴＸプロセッサ６１６、ＲＸプロセッサ６７０、制御器／プロセッサ６７５、プロセッサ１３２２、コンピュータ可読媒体１３２６、またはメモリ６７６でありうる。ｅノードＢ６１０はまた、決定するための手段を含むように構成されうる。１つの様態において、手段を決定することは、手段を決定することによって列挙された機能を実行するために構成されたモジュール１３０４、制御器／プロセッサ６７５、プロセッサ１３２２、コンピュータ可読媒体１３２６、またはメモリ６７６を決定することでありうる。別の態様において、上述された手段は、上述された手段によって列挙された機能を実行するように構成された任意のモジュールまたは任意の装置でありうる。
【００９１】
[00103]１つの構成では、ＵＥ６５０は、通信するための手段、またはレポートするための手段を含むワイヤレス通信のために構成される。１つの様態において、通信、またはレポートする手段は、通信、またはレポートする手段によって列挙された機能を実行するために構成された通信モジュール１３０２、アンテナ１３２０／６５２、ＴＸプロセッサ６６８、ＲＸプロセッサ６５６、制御器／プロセッサ６５９、プロセッサ１３２２、コンピュータ可読媒体１３２６、またはメモリ６６０でありうる。ＵＥ６５０はまた、決定するための手段を含むように構成されうる。１つの様態において、手段を決定することは、手段を決定することによって列挙された機能を実行するために構成されたモジュール１３０４、制御器／プロセッサ６５９、プロセッサ１３２２、コンピュータ可読媒体１３２６、メモリ６６０を決定することでありうる。別の態様において、上述された手段は、上述された手段によって列挙された機能を実行するように構成された任意のモジュールまたは任意の装置でありうる。
【００９２】
[00104]当業者は、本開示に関連して説明された様々な例示的な論理ブロック、モジュール、回路およびアルゴリズムのステップがハードウェア、ソフトウェア、または両方の組み合わせとして実装されうるということをさらに理解するであろう。ハードウェアおよびソフトウェアのこの互換性を明確に例示するために、様々な例示的なコンポーネント、ブロック、モジュール、回路、およびステップが、一般的にそれらの機能の観点から上記された。このような機能が、ハードウェアとして、またはソフトウェアとして実装されるかどうかは、システム全体上に課せられる設計制約、および特定のアプリケーションに依存する。当業者は、各特定のアプリケーションのために、様々な方法で説明された機能を実装しうるが、そのような実装の決定は、本開示の範囲からの逸脱を引き起こすと解釈されるべきでない。
【００９３】
[00105]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲート、またはトランジスタ論理、ディスクリートハードウェアコンポーネント、または本明細書に記述された機能を実行するよう設計されたそれらの任意の組み合わせとともに実装または実行されうる。汎用プロセッサは、マイクロプロセッサでありうるが、代わりに、プロセッサは、任意の従来のプロセッサ、制御器、マイクロ制御器、またはステートマシンでありうる。プロセッサはまた、例えば、ＤＳＰとマクロプロセッサ、複数のマイクロプロセッサ、ＤＳＰコアと連動した１つまたは複数のマイクロプロセッサ、または他のそのような構成の組み合わせのような、計算デバイスの組み合わせとして実装されうる。
【００９４】
[00106]本開示に関連して説明された方法またはアルゴリズムのステップは、直接的にハードウェア内に、プロセッサによって実行されたソフトウェアモジュール内に、またはそれらの組み合わせ内に組み込まれうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（移送変動メモリ）、レジスタ、ハードディスク、リムーバブルディスク、ＣＤ／ＤＶＤ、または当技術分野において周知の記憶媒体のあらゆる他の形態に存在しうる。典型的な記憶媒体は、プロセッサが記憶媒体から情報を読み取り、また情報を書き込むことができるように、プロセッサに結合される。代替として、記憶媒体は、プロセッサと一体化されうる。プロセッサおよび記憶媒体は、ＡＳＩＣ内に存在しうる。ＡＳＩＣは、ユーザ端末内に存在しうる。代替として、プロセッサおよび記憶媒体は、ユーザ端末内のディスクリートコンポーネントとして存在しうる。
【００９５】
[00107]１つまたは複数の例示的な設計では、説明された機能は、ハードウェア、ソフトウェア、またはそれらの組み合わせ内において実装されうる。例えば、ソフトウェア内に実装される場合には、機能は、非一時的なコンピュータ可読媒体上で１つまたは複数の命令またはコードとして記憶または送信されうる。コンピュータ可読媒体は、コンピュータ記憶媒体を含む。記憶媒体は、汎用または特殊用途コンピュータによってアクセスされることができる任意の利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、または汎用コンピュータまたは特殊用途コンピュータ、または汎用プロセッサまたは特殊用途プロセッサによってアクセスされることができ、命令またはデータ構造の形で所望のプログラムコード手段を搬送または記憶するために使用できるあらゆる他の媒体を備えられる。また、いずれの接続も厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここでディスク（disk）は、通常磁気的にデータを再生し、ディスク（disc）は、レーザーを用いて光学的にデータを再生する。上記の組み合わせはまた、コンピュータ可読媒体の範囲内に含まれるべきである。
【００９６】
[00108]本開示の先の説明は、当業者が本開示を行なうまたは使用することを可能にするために提供される。本開示への様々な変更は、当業者にとって容易に明らかであろう、また、ここで定義される一般的な原理は、本開示の範囲または精神から逸脱することなく他の変更に適用されうる。したがって、本開示は、ここで説明される例および設計に限定するように意図されておらず、ここで開示される原理および新規の特徴と一致して幅広い範囲が与えられるべきである。
以下に本願発明の当初の特許請求の範囲に記載された発明を付記する。
［Ｃ１］
ワイヤレス通信の方法であって、
ユーザ機器（ＵＥ）とサービング基地局との間で通信することと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定することと
を備える方法。
［Ｃ２］
前記時間変動干渉は、サブフレームのサブセットにのみ現れる、
Ｃ１に記載の方法。
［Ｃ３］
前記時間変動干渉は、ＵＥへのＵＥの干渉である、
Ｃ２に記載の方法。
［Ｃ４］
前記レポートは、少なくとも１つの制限された測定レポートを備える、
Ｃ２に記載の方法。
［Ｃ５］
前記制限された測定レポートは、前記時間変動干渉を経験しない時間／周波数リソースのサブセットに少なくとも部分的に基づく、
Ｃ４に記載の方法。
［Ｃ６］
前記少なくとも１つの制限された測定レポートは、チャネル状態レポート、チャネル品質インジケータ（ＣＱＩ）レポート、基準信号受信電力（ＲＳＲＰ）レポート、基準信号受信品質（ＲＳＲＱ）レポート、または、受信強度信号インジケータ（ＲＳＳＩ）を備える、
Ｃ４に記載の方法。
［Ｃ７］
前記時間変動干渉を取り扱うための前記ＵＥの能力、観測された時間変動干渉、または予測された時間変動干渉に少なくとも部分的に基づく制限された測定を使用してレポートするように前記ＵＥを構成することをさらに備える、
Ｃ４に記載の方法。
［Ｃ８］
前記少なくとも１つの制限された測定レポートは、前記時間変動干渉を経験することを予測されないサブフレームに対応する少なくとも１つのレポートを備える、
Ｃ４に記載の方法。
［Ｃ９］
ＵＥへのＵＥの干渉を経験することを予測されない前記サブフレームは、基地局間のバックホールメッセージ、基地局での測定値、または、近隣セルの構成を識別する前記ＵＥからのメッセージによって少なくとも部分的に識別される、
Ｃ８に記載の方法。
［Ｃ１０］
前記制限された測定レポートは、サブフレームの少なくとも３つの異なるタイプに対応する、
Ｃ４に記載の方法。
［Ｃ１１］
ＵＥへのＵＥの干渉を経験するＵＥのための範囲拡大を無効にすることをさらに備える、
Ｃ４に記載の方法。
［Ｃ１２］
アイドルモードの間に生じる測定のための、制限された測定レポートを受信することをさらに備える、
Ｃ４に記載の方法。
［Ｃ１３］
前記決定することは、前記時間変動干渉のデューティサイクルにさらに基づく、
Ｃ４に記載の方法。
［Ｃ１４］
アップリンク許可を含むサブフレームは、前記時間変動干渉によって影響を受けたかどうかに少なくとも部分的に基づく前記ＵＥをハンドオフすることを決定することをさらに備える、
Ｃ４に記載の方法。
［Ｃ１５］
前記ＵＥは、時間変動干渉に遭遇することを予測されているかどうかを決定することをさらに備え、前記決定することは、観測された時間変動干渉を示すシグナリングを受信すること、または、時間変動測定レポートを有意に受信することを備える、
Ｃ１に記載の方法。
［Ｃ１６］
ワイヤレス通信のための装置であって、
ユーザ機器（ＵＥ）とサービング基地局との間で通信するための手段と、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定するための手段と
を備える装置。
［Ｃ１７］
前記時間変動干渉は、サブフレームのサブセットにのみ現れる、
Ｃ１６に記載の装置。
［Ｃ１８］
前記時間変動干渉は、ＵＥへのＵＥの干渉である、
Ｃ１７に記載の装置。
［Ｃ１９］
前記レポートは、少なくとも１つの制限された測定レポートを備える、
Ｃ１７に記載の装置。
［Ｃ２０］
前記制限された測定レポートは、前記時間変動干渉を経験しない時間／周波数リソースのサブセットに少なくとも部分的に基づく、
Ｃ１９に記載の装置。
［Ｃ２１］
前記少なくとも１つの制限された測定レポートは、チャネル状態レポート、チャネル品質インジケータ（ＣＱＩ）レポート、基準信号受信電力（ＲＳＲＰ）レポート、基準信号受信品質（ＲＳＲＱ）レポート、または、受信強度信号インジケータ（ＲＳＳＩ）を備える、
Ｃ１９に記載の装置。
［Ｃ２２］
予測された時間変動干渉、観測された時間干渉変動、または前記時間変動干渉を取り扱う前記ＵＥの能力に少なくとも部分的に基づく制限された測定を使用してレポートするように前記ＵＥを構成するための手段をさらに備える、
Ｃ１９に記載の装置。
［Ｃ２３］
前記少なくとも１つの制限された測定レポートは、前記時間変動干渉を経験することを予測されないサブフレームに対応する少なくとも１つのレポートを備える、
Ｃ１９に記載の装置。
［Ｃ２４］
ＵＥへのＵＥの干渉を経験することを予測されない前記サブフレームは、基地局間のバックホールメッセージ、基地局での測定値、または、近隣セルの構成を識別する前記ＵＥからのメッセージによって少なくとも部分的に識別される、
Ｃ２３に記載の装置。
［Ｃ２５］
前記制限された測定レポートは、サブフレームの少なくとも３つの異なるタイプに対応する、
Ｃ１９に記載の装置。
［Ｃ２６］
ＵＥへのＵＥの干渉を経験するＵＥのための範囲拡大を無効にするための手段をさらに備える、
Ｃ１９に記載の装置。
［Ｃ２７］
アイドルモードの間に生じる測定のための、制限された測定レポートを受信するための手段をさらに備える、
Ｃ１９に記載の装置。
［Ｃ２８］
前記決定するための手段は、前記時間変動干渉のデューティサイクルにさらに基づく、
Ｃ１９に記載の装置。
［Ｃ２９］
アップリンク許可を含むサブフレームが前記時間変動干渉によって影響を受けたかどうかに少なくとも部分的に基づく前記ＵＥをハンドオフすることを決定するための手段をさらに備える、
Ｃ１９に記載の装置。
［Ｃ３０］
前記ＵＥが時間変動干渉に遭遇することを予測されているかどうかを決定するための手段をさらに備え、前記決定するための手段は、観測された時間変動干渉を示すシグナリングを受信すること、または、時間変動測定レポートを有意に受信するための手段を備える、
Ｃ１６記載の装置。
［Ｃ３１］
ワイヤレスネットワーク内における通信のためのコンピュータプログラムプロダクトであって、
その上に、記録されたプログラムコードを有する非一時的コンピュータ可読媒体を備え、前記プログラムコードは、
ユーザ機器（ＵＥ）とサービング基地局との間で通信するプログラムコードと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定するプログラムコードと
を備えるコンピュータプログラムプロダクト。
［Ｃ３２］
ワイヤレス通信のための装置であって、
メモリと、
前記メモリに結合された少なくとも１つのプロセッサを備え、前記少なくとも１つのプロセッサは、
ユーザ機器（ＵＥ）とサービング基地局との間で通信することと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定することと
を行うように構成される装置。
［Ｃ３３］
ワイヤレス通信の方法であって、
特定のサブフレームへの測定を制限することを決定することと、
ユーザ機器（ＵＥ）によって前記特定のサブフレームの測定をレポートすることと
を備える方法。
［Ｃ３４］
前記特定のサブフレームは、測定期間内のサブフレームのサブセット上のみに干渉を引き起こす特定のソースから干渉が見えないサブフレームである、
Ｃ３３に記載の方法。
［Ｃ３５］
前記干渉は、前記特定のサブフレームの前記測定をレポートする前記ＵＥに接続されたサービング基地局とは異なる時分割複信（ＴＤＤ）構成を使用した近隣基地局に接続された第２のＵＥからによる、
Ｃ３４に記載の方法。
［Ｃ３６］
前記特定のサブフレームは、全てのアップリンク／ダウンリンク構成に共通のダウンリンクサブフレームを備える、
Ｃ３４に記載の方法。
［Ｃ３７］
前記特定のサブフレームは、既知の近隣セルアップリンク／ダウンリンク構成と既知のサービングセルアップリンク／ダウンリンク構成に共通のダウンリンクサブフレームを備える、
Ｃ３４に記載の方法。
［Ｃ３８］
前記特定のサブフレームは、サービング基地局によって構成された制限されたダウンリンクサブフレームを備える、
Ｃ３３に記載の方法。
［Ｃ３９］
前記特定のサブフレームは、低干渉を有するとして検出されたダウンリンクサブフレームを備える、
Ｃ３３に記載の方法。
［Ｃ４０］
前記決定することは、前記時間変動干渉を取り扱うＵＥの能力、前記ＵＥが前記時間変動干渉に遭遇することを予測されているかどうか、前記時間変動干渉のデューティサイクル、または前記時間変動干渉によって影響を受けたサブフレームに少なくとも部分的に基づく、
Ｃ３４に記載の方法。
［Ｃ４１］
前記決定することは、サブフレーム干渉を示すメトリックを測定することと、別のサブフレーム上の測定されたメトリックを比較することと、異なる測定されたメトリックを有するサブフレームとして制限されたサブフレームを選択することとを含む、
Ｃ３３に記載の方法。
［Ｃ４２］
前記測定は、マルチキャリアロングタームエボリューション（ＬＴＥ）システムの周波数間測定のために実行される、
Ｃ４１に記載の方法。
［Ｃ４３］
ワイヤレス通信のための装置であって、
特定のサブフレームへの測定を制限することを決定するための手段と、
ユーザ機器（ＵＥ）によって前記特定のサブフレームの測定をレポートするための手段と
を備える装置。
［Ｃ４４］
前記特定のサブフレームは、測定周期内のサブフレームのサブセットのみに干渉を引き起こす特定のソースから干渉に遭遇しないサブフレームである、
Ｃ４３に記載の装置。
［Ｃ４５］
前記干渉は、前記特定のサブフレームの前記測定をレポートする前記ＵＥに接続されたサービング基地局とは異なる時分割複信（ＴＤＤ）構成を使用した近隣基地局に接続された第２のＵＥによる、
Ｃ４４に記載の装置。
［Ｃ４６］
前記特定のサブフレームは、全てのアップリンク／ダウンリンク構成に共通するダウンリンクサブフレームを備える、
Ｃ４４に記載の装置。
［Ｃ４７］
前記特定のサブフレームは、既知の近隣セルアップリンク／ダウンリンク構成と既知のサービングセルアップリンク／ダウンリンク構成に共通のダウンリンクサブフレームを備える、
Ｃ４４に記載の装置。
［Ｃ４８］
前記特定のサブフレームは、サービング基地局によって構成された制限されたダウンリンクサブフレームを備える、
Ｃ４３に記載の装置。
［Ｃ４９］
前記特定のサブフレームは、低干渉を有するとして検出されたダウンリンクサブフレームを備える、
Ｃ４３に記載の装置。
［Ｃ５０］
決定するための前記手段は、前記時間変動干渉を取り扱うためにＵＥの能力、前記ＵＥは前記時間変動干渉に遭遇することを予測されているかどうか、前記時間変動干渉のデューティサイクル、または前記時間変動干渉によって影響を受けたサブフレームに少なくとも部分的に基づく、
Ｃ４４に記載の装置。
［Ｃ５１］
決定するための前記手段は、サブフレーム干渉を示すメトリックを測定するための手段と、別のサブフレーム上の測定されたメトリックを比較するための手段と、異なる測定されたメトリックを有するサブフレームとして制限されたサブフレームを選択するための手段とを含む、
Ｃ４３に記載の装置。
［Ｃ５２］
前記測定は、マルチキャリアロングタームエボリューション（ＬＴＥ）システムの周波数間測定のために実行される、
Ｃ５１に記載の装置。
［Ｃ５３］
ワイヤレスネットワーク内における通信のためのコンピュータプログラムプロダクトであって、
その上に、記録されたプログラムコードを有する非一時的コンピュータ可読媒体を備え、前記プログラムコードは、
特定のサブフレームへの測定を制限することを決定するプログラムコードと、
ユーザ機器（ＵＥ）によって前記特定のサブフレームの測定をレポートするプログラムコードと
を備えるコンピュータプログラムプロダクト。
［Ｃ５４］
ワイヤレス通信のための装置であって、
メモリと、
前記メモリに結合された少なくとも１つのプロセッサを備え、前記少なくとも１つのプロセッサは、
特定のサブフレームへの測定を制限することを決定することと、
ユーザ機器（ＵＥ）によって前記特定のサブフレームの測定をレポートすることと
を行うように構成される装置。
［Ｃ５５］
ワイヤレス通信の方法であって、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を備える方法。
［Ｃ５６］
前記時間／周波数リソースの特定のセットは、サブフレームのセットを示す情報を備える前記シグナリングされた制限された測定情報と複数の前記サブフレームのセットとを備える、
Ｃ５５に記載の方法。
［Ｃ５７］
前記シグナリングされた制限された測定情報は、制限された測定が実行される時間／周波数リソースの関連したセットと１つまたは複数のキャリア周波数を備える、
Ｃ５５に記載の方法。
［Ｃ５８］
前記制限された測定情報の前記シグナリングすることは、ＵＥ固有、セル固有、またはページングエリア内の全てのセルに共通である、
Ｃ５５に記載の方法。
［Ｃ５９］
マスター情報ブロック（ＭＩＢ）、またはシステム情報ブロック（ＳＩＢ）に少なくとも部分的に基づく前記制限された測定情報のシグナリングすることをさらに備える、
Ｃ５５に記載の方法。
［Ｃ６０］
無線リソース制御（ＲＲＣ）シグナリングを使用した時間／周波数リソースの前記特定のセットをシグナリングすることをさらに備える、
Ｃ５５に記載の方法。
［Ｃ６１］
ワイヤレス通信のための装置であって、
アイドルモード内で動作する、または周波数間測定を実行するユーザ機器（ＵＥ）のために、時間／周波数リソースの特定のセットへの測定を制限することを決定するための手段と、
前記制限を示す情報を前記ＵＥへのシグナリングするための手段と
を備える装置。
［Ｃ６２］
前記時間／周波数リソースの特定のセットは、サブフレームのセットを示す情報を備える前記シグナリングされた制限された測定情報と複数の前記サブフレームのセットとを備える、
Ｃ６１に記載の装置。
［Ｃ６３］
前記シグナリングされた制限された測定情報は、制限された測定が実行される時間／周波数リソースの関連したセットと１つまたは複数のキャリア周波数を備える、
Ｃ６１に記載の装置。
［Ｃ６４］
前記制限された測定情報の前記シグナリングは、ＵＥ固有、セル固有、またはページングエリア内の全てのセルに共通である、
Ｃ６１に記載の装置。
［Ｃ６５］
マスター情報ブロック（ＭＩＢ）、またはシステム情報ブロック（ＳＩＢ）に少なくとも部分的に基づく前記制限された測定情報をシグナリングするための手段をさらに備える、
Ｃ６１に記載の装置。
［Ｃ６６］
無線リソース制御（ＲＲＣ）シグナリングを使用した時間／周波数リソースの前記特定のセットをシグナリングするための手段をさらに備える、
Ｃ６１に記載の装置。
［Ｃ６７］
ワイヤレスネットワーク内における通信のためのコンピュータプログラムプロダクトであって、
その上に、記録されたプログラムコードを有する非一時的コンピュータ可読媒体を備え、前記プログラムコードは、
アイドルモード内で動作する、または周波数間測定を実行するユーザ機器（ＵＥ）のために、時間／周波数リソースの特定のセットへの測定を制限することを決定するプログラムコードと、
前記制限を示す情報を前記ＵＥへシグナリングするプログラムコードと
を備えるコンピュータプログラムプロダクト。
［Ｃ６８］
ワイヤレス通信のための装置であって、
メモリと、
前記メモリに結合された少なくとも１つのプロセッサを備え、前記少なくとも１つのプロセッサは、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を行うように構成される装置。
［Ｃ６９］
ワイヤレス通信の方法であって、
アイドルモード内で動作する、または周波数間測定を実行するユーザ機器のために、時間／周波数リソースの特定のセットへの測定を制限することと、
前記時間／周波数リソースの特定のセットの測定をレポートすることと
を備える方法。
［Ｃ７０］
ワイヤレス通信のための装置であって、
アイドルモード内で動作する、または周波数間測定を実行するユーザ機器のために、時間／周波数リソースの特定のセットへの測定を制限するための手段と、
前記時間／周波数リソースの特定のセットの測定をレポートするための手段と
を備える装置。
［Ｃ７１］
ワイヤレスネットワーク内における通信のためのコンピュータプログラムプロダクトであって、
その上に、記録されたプログラムコードを有する非一時的コンピュータ可読媒体を備え、前記プログラムコードは、
アイドルモード内で動作する、または周波数間測定を実行するユーザ機器のために、時間／周波数リソースの特定のセットへの測定を制限するプログラムコードと、
前記時間／周波数リソースの特定のセットの測定をレポートするプログラムコードと
を備えるコンピュータプログラムプロダクト。
［Ｃ７２］
ワイヤレス通信のための装置であって、
メモリと、
前記メモリに結合された少なくとも１つのプロセッサを備え、前記少なくとも１つのプロセッサは、
アイドルモード内で動作する、または周波数間測定を実行するユーザ機器のために、時間／周波数リソースの特定のセットへの測定を制限することと、
時間／周波数リソースの前記特定のセットの測定をレポートすることと
を行うように構成される装置。
【図１】
2018129804.tif 000004
【図２】
2018129804.tif 000005
【図３】
2018129804.tif 000006
【図４】
2018129804.tif 000007
【図５】
2018129804.tif 000008
【図６】
2018129804.tif 000009
【図７】
2018129804.tif 000010
【図８】
2018129804.tif 000011
【図９】
2018129804.tif 000012
【図１０】
2018129804.tif 000013
【図１１】
2018129804.tif 000014
【図１２】
2018129804.tif 000015
【図１３】
2018129804.tif 000016
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
特定のサブフレームへの測定を制限することを決定することと、
ユーザ機器（ＵＥ）によって前記特定のサブフレームの測定をレポートすることと
を備える方法。
【請求項２】
前記特定のサブフレームは、測定期間内のサブフレームのサブセットのみに干渉を引き起こす特定のソースから干渉に遭遇しないサブフレームである、請求項１に記載の方法。
【請求項３】
前記干渉は、前記特定のサブフレームの前記測定をレポートする前記ＵＥに接続されたサービング基地局とは異なる時分割複信（ＴＤＤ）構成を使用した近隣基地局に接続された第２のＵＥからのものである、請求項２に記載の方法。
【請求項４】
前記特定のサブフレームは、全てのアップリンク／ダウンリンク構成に共通のダウンリンクサブフレームを備える、請求項２に記載の方法。
【請求項５】
前記特定のサブフレームは、既知の近隣セルアップリンク／ダウンリンク構成と既知のサービングセルアップリンク／ダウンリンク構成に共通のダウンリンクサブフレームを備える、請求項２に記載の方法。
【請求項６】
前記特定のサブフレームは、サービング基地局によって構成された制限されたダウンリンクサブフレームを備える、請求項１に記載の方法。
【請求項７】
前記特定のサブフレームは、低干渉を有するとして検出されたダウンリンクサブフレームを備える、請求項１に記載の方法。
【請求項８】
前記決定することは、前記時間変動干渉を取り扱うＵＥの能力、前記ＵＥが前記時間変動干渉に遭遇することを予測されているかどうか、前記時間変動干渉のデューティサイクル、または前記時間変動干渉によって影響を受けたサブフレームに少なくとも部分的に基づく、請求項２に記載の方法。
【請求項９】
前記決定することは、サブフレーム干渉を示すメトリックを測定することと、別のサブフレーム上の測定されたメトリックを比較することと、異なる測定されたメトリックを有するサブフレームとして制限されたサブフレームを選択することとを含む、請求項１に記載の方法。
【請求項１０】
前記測定は、マルチキャリアロングタームエボリューション（ＬＴＥ）システムの周波数間測定のために実行される、請求項９に記載の方法。
【請求項１１】
ワイヤレス通信のための装置であって、
特定のサブフレームへの測定を制限することを決定するための手段と、
ユーザ機器（ＵＥ）によって前記特定のサブフレームの測定をレポートするための手段と
を備える装置。
【請求項１２】
前記特定のサブフレームは、測定期間内のサブフレームのサブセットのみに干渉を引き起こす特定のソースから干渉に遭遇しないサブフレームである、請求項１１に記載の装置。
【請求項１３】
前記干渉は、前記特定のサブフレームの前記測定をレポートする前記ＵＥに接続されたサービング基地局とは異なる時分割複信（ＴＤＤ）構成を使用した近隣基地局に接続された第２のＵＥからのものである、請求項１２に記載の装置。
【請求項１４】
前記特定のサブフレームは、全てのアップリンク／ダウンリンク構成に共通のダウンリンクサブフレームを備える、請求項１２に記載の装置。
【請求項１５】
前記特定のサブフレームは、既知の近隣セルアップリンク／ダウンリンク構成と既知のサービングセルアップリンク／ダウンリンク構成に共通のダウンリンクサブフレームを備える、請求項１２に記載の装置。
【請求項１６】
前記特定のサブフレームは、サービング基地局によって構成された制限されたダウンリンクサブフレームを備える、請求項１１に記載の装置。
【請求項１７】
前記特定のサブフレームは、低干渉を有するとして検出されたダウンリンクサブフレームを備える、請求項１１に記載の装置。
【請求項１８】
決定するための前記手段は、前記時間変動干渉を取り扱うＵＥの能力、前記ＵＥが前記時間変動干渉に遭遇することを予測されているかどうか、前記時間変動干渉のデューティサイクル、または前記時間変動干渉によって影響を受けたサブフレームに少なくとも部分的に基づく、請求項１２に記載の装置。
【請求項１９】
決定するための前記手段は、サブフレーム干渉を示すメトリックを測定するための手段と、別のサブフレーム上の測定されたメトリックを比較するための手段と、異なる測定されたメトリックを有するサブフレームとして制限されたサブフレームを選択するための手段とを含む、請求項１１に記載の装置。
【請求項２０】
前記測定は、マルチキャリアロングタームエボリューション（ＬＴＥ）システムの周波数間測定のために実行される、請求項１９に記載の装置。
【請求項２１】
ワイヤレスネットワーク内における通信のためのコンピュータプログラムであって、
その上に、記録されたプログラムコードを有する非一時的コンピュータ可読媒体を備え、前記プログラムコードは、
特定のサブフレームへの測定を制限することを決定するプログラムコードと、
ユーザ機器（ＵＥ）によって前記特定のサブフレームの測定をレポートするプログラムコードと
を備えるコンピュータプログラム。
【請求項２２】
ワイヤレス通信のための装置であって、
メモリと、
前記メモリに結合された少なくとも１つのプロセッサとを備え、前記少なくとも１つのプロセッサは、
特定のサブフレームへの測定を制限することを決定することと、
ユーザ機器（ＵＥ）によって前記特定のサブフレームの測定をレポートすることと
を行うように構成される装置。
【請求項２３】
ワイヤレス通信の方法であって、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を備える方法。
【請求項２４】
前記時間／周波数リソースの特定のセットは、複数のサブフレームのセットを備え、前記シグナリングされた制限された測定情報は、前記サブフレームのセットを示す情報を備える、請求項２３に記載の方法。
【請求項２５】
前記シグナリングされた制限された測定情報は、制限された測定が実行される時間／周波数リソースの関連したセットと１つまたは複数のキャリア周波数を備える、請求項２３に記載の方法。
【請求項２６】
前記制限された測定情報の前記シグナリングは、ＵＥ固有、セル固有、またはページングエリア内の全てのセルに共通である、請求項２３に記載の方法。
【請求項２７】
マスター情報ブロック（ＭＩＢ）、またはシステム情報ブロック（ＳＩＢ）に少なくとも部分的に基づく前記制限された測定情報をシグナリングすることをさらに備える、請求項２３に記載の方法。
【請求項２８】
無線リソース制御（ＲＲＣ）シグナリングを使用した時間／周波数リソースの前記特定のセットをシグナリングすることをさらに備える、請求項２３に記載の方法。
【請求項２９】
ワイヤレス通信のための装置であって、
アイドルモード内で動作する、または周波数間測定を実行するユーザ機器（ＵＥ）のために、時間／周波数リソースの特定のセットへの測定を制限することを決定するための手段と、
前記制限を示す情報を前記ＵＥへシグナリングするための手段と
を備える装置。
【請求項３０】
前記時間／周波数リソースの特定のセットは、複数のサブフレームのセットを備え、前記シグナリングされた制限された測定情報は、前記サブフレームのセットを示す情報を備える、請求項２９に記載の装置。
【請求項３１】
前記シグナリングされた制限された測定情報は、制限された測定が実行される時間／周波数リソースの関連したセットと１つまたは複数のキャリア周波数を備える、請求項２９に記載の装置。
【請求項３２】
前記制限された測定情報の前記シグナリングは、ＵＥ固有、セル固有、またはページングエリア内の全てのセルに共通である、請求項２９に記載の装置。
【請求項３３】
マスター情報ブロック（ＭＩＢ）、またはシステム情報ブロック（ＳＩＢ）に少なくとも部分的に基づく前記制限された測定情報をシグナリングするための手段をさらに備える、請求項２９に記載の装置。
【請求項３４】
無線リソース制御（ＲＲＣ）シグナリングを使用した時間／周波数リソースの前記特定のセットをシグナリングするための手段をさらに備える、請求項２９に記載の装置。
【請求項３５】
ワイヤレスネットワーク内における通信のためのコンピュータプログラムであって、
その上に、記録されたプログラムコードを有する非一時的コンピュータ可読媒体を備え、前記プログラムコードは、
アイドルモード内で動作する、または周波数間測定を実行するユーザ機器（ＵＥ）のために、時間／周波数リソースの特定のセットへの測定を制限することを決定するプログラムコードと、
前記制限を示す情報を前記ＵＥへシグナリングするプログラムコードと
を備えるコンピュータプログラム。
【請求項３６】
ワイヤレス通信のための装置であって、
メモリと、
前記メモリに結合された少なくとも１つのプロセッサとを備え、前記少なくとも１つのプロセッサは、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を行うように構成される装置。
【請求項３７】
ワイヤレス通信の方法であって、
アイドルモード内で動作する、または周波数間測定を実行するユーザ機器のために、時間／周波数リソースの特定のセットへの測定を制限することと、
前記時間／周波数リソースの特定のセットの測定をレポートすることと
を備える方法。
【請求項３８】
ワイヤレス通信のための装置であって、
アイドルモード内で動作する、または周波数間測定を実行するユーザ機器のために、時間／周波数リソースの特定のセットへの測定を制限するための手段と、
前記時間／周波数リソースの特定のセットの測定をレポートするための手段と
を備える装置。
【請求項３９】
ワイヤレスネットワーク内における通信のためのコンピュータプログラムであって、
その上に、記録されたプログラムコードを有する非一時的コンピュータ可読媒体を備え、前記プログラムコードは、
アイドルモード内で動作する、または周波数間測定を実行するユーザ機器のために、時間／周波数リソースの特定のセットへの測定を制限するプログラムコードと、
前記時間／周波数リソースの特定のセットの測定をレポートするプログラムコードと
を備えるコンピュータプログラム。
【請求項４０】
ワイヤレス通信のための装置であって、
メモリと、
前記メモリに結合された少なくとも１つのプロセッサとを備え、前記少なくとも１つのプロセッサは、
アイドルモード内で動作する、または周波数間測定を実行するユーザ機器のために、時間／周波数リソースの特定のセットへの測定を制限することと、
前記時間／周波数リソースの特定のセットの測定をレポートすることと
を行うように構成される装置。